(57)【要約】  本発明の実施例は、ビーム障害回復要求の伝送方法、端末機器及びネットワーク機器を開示し、通信技術分野に関し、セカンダリセルにビーム障害イベントが発生した場合、端末機器が、ビーム障害回復要求をネットワーク機器に送信できないことになるという従来技術の問題を解決するために用いられる。この方法は、端末機器が、第１のネットワーク機器によりサービスが提供される第１のセルにビーム障害イベントが発生したことを決定することと、第２のネットワーク機器によりサービスが提供される第２のセルにおいて、第１のセルにビーム障害イベントが発生したことを指示するためのビーム障害回復要求ＢＦＲＱを第２のネットワーク機器に送信することとを含み、そのうち、第２のセルと第１のセルとは異なる。この形態は、具体的には、ビーム障害回復のシナリオに適用される。【選択図】図２
2022501944.tif 000002
【特許請求の範囲】
【請求項１】
ビーム障害回復要求の伝送方法であって、端末機器に用いられ、
第１のネットワーク機器によりサービスが提供される第１のセルにビーム障害イベントが発生したことを決定することと、
前記第１のセルにビーム障害イベントが発生したことを指示するためのビーム障害回復要求ＢＦＲＱを第２のネットワーク機器に、前記第２のネットワーク機器によりサービスが提供される第２のセルにおいて送信することとを含み、
そのうち、前記第２のセルと前記第１のセルとは異なる、ことを特徴とするビーム障害回復要求の伝送方法。
【請求項２】
前記ビーム障害回復要求ＢＦＲＱには、前記第１のセルの識別子が含まれる、ことを特徴とする請求項１に記載のビーム障害回復要求の伝送方法。
【請求項３】
第２のセルにおいてビーム障害回復要求ＢＦＲＱを第２のネットワーク機器に送信することは、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記第２のネットワーク機器に送信することを含む、ことを特徴とする請求項１に記載のビーム障害回復要求の伝送方法。
【請求項４】
前記第２のセルは、前記第２のネットワーク機器によりサービスが提供されるプライマリセル、又は前記第２のネットワーク機器によりサービスが提供されるセカンダリセルである、ことを特徴とする請求項１に記載のビーム障害回復要求の伝送方法。
【請求項５】
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項１〜４のいずれか１項に記載のビーム障害回復要求の伝送方法。
【請求項６】
前記第２のセルは、前記第４のネットワーク機器により前記端末機器に対して配置された、前記第１のセルと予め設定される関連関係を持っている一つのセルであり、又は前記第４のネットワーク機器により前記端末機器に対して配置された一つのセルであり、又は前記第４のネットワーク機器により前記端末機器に対して配置された複数のセルのうち、前記第４のネットワーク機器によって前記端末機器に対して指示された一つのセルであり、又は前記第４のネットワーク機器により前記端末機器に対して配置された複数のセルのうち、前記端末機器により決定されたセルである、ことを特徴とする請求項５に記載のビーム障害回復要求の伝送方法。
【請求項７】
第２のセルにおいてビーム障害回復要求ＢＦＲＱを第２のネットワーク機器に送信することは、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記第２のネットワーク機器に送信することを含む、ことを特徴とする請求項１に記載のビーム障害回復要求の伝送方法。
【請求項８】
前記第１のキャリアは、通信プロトコルにより規定されたもの、又は第５のネットワーク機器によって前記端末機器に対して配置又はスケジューリングされたものである、ことを特徴とする請求項７に記載のビーム障害回復要求の伝送方法。
【請求項９】
第１のキャリアを介して、前記第２のセルにおいて前記ビーム障害回復要求ＢＦＲＱを前記第２のネットワーク機器に送信する前、前記ビーム障害回復要求の伝送方法は、
第２のキャリアを指示するための第１の情報を取得し、前記第２のキャリアは、前記端末機器による前記ビーム障害回復要求ＢＦＲＱの送信に用いられ、物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも２つを含むことと、
第１の予め設定された規則に従って、前記第２のキャリアの中から前記第１のキャリアを決定することとをさらに含み、
そのうち、前記第１の予め設定された規則は、前記第２のキャリアのうちのいずれか一つのキャリア、前記第２のキャリアのうち優先度が最も高いキャリア、前記第２のキャリアのうち現在時刻から最初に開始送信時刻に達するキャリア、前記第２のキャリアのうちのすべてのキャリア、のうちのいずれか１つである、ことを特徴とする請求項７に記載のビーム障害回復要求の伝送方法。
【請求項１０】
前記第１の予め設定された規則は、通信プロトコルにより規定されたもの、又は第６のネットワーク機器により前記端末機器に対して配置されたもの、又は前記端末機器によって決定されたものである、ことを特徴とする請求項９に記載のビーム障害回復要求の伝送方法。
【請求項１１】
前記第１のキャリアが物理上りリンク制御チャネルＰＵＣＣＨ又はセミパーシステント−物理上りリンク共有チャネルＳＰ−ＰＵＳＣＨのうちの少なくとも１つを含む場合、第１のキャリアを介して、前記第２のセルにおいて前記ビーム障害回復要求ＢＦＲＱを前記第２のネットワーク機器に送信することは、
ターゲットチャネルには第２の情報が含まれている場合、第２の予め設定された規則に従って、物理上りリンク制御チャネルＰＵＣＣＨ又はセミパーシステント−物理上りリンク共有チャネルＳＰ−ＰＵＳＣＨである前記ターゲットチャネルを介して、前記第２のセルにおいて前記ビーム障害回復要求ＢＦＲＱを前記第２のネットワーク機器に送信することを含み、
そのうち、前記第２の予め設定された規則は、前記第２の情報及び前記ビーム障害回復要求ＢＦＲＱの優先度に従って前記ビーム障害回復要求ＢＦＲＱを送信すること、又は前記第２の情報及び前記ビーム障害回復要求ＢＦＲＱを多重送信すること、又は前記ビーム障害回復要求ＢＦＲＱを優先的に送信することである、ことを特徴とする請求項７〜１０のいずれか１項に記載のビーム障害回復要求の伝送方法。
【請求項１２】
前記第２の予め設定された規則は、通信プロトコルにより規定されたもの、又は第７のネットワーク機器により前記端末機器に対して配置されたもの、又は前記端末機器によって決定されたものである、ことを特徴とする請求項１１に記載のビーム障害回復要求の伝送方法。
【請求項１３】
ビーム障害回復要求の伝送方法であって、第２のネットワーク機器に用いられ、
前記第２のネットワーク機器によりサービスが提供される第２のセルにおいて、第１のネットワーク機器によりサービスが提供される第１のセルにビーム障害イベントが発生したことを指示するためのビーム障害回復要求ＢＦＲＱを端末機器から受信することを含み、
そのうち、前記第２のセルと前記第１のセルとは異なる、ことを特徴とするビーム障害回復要求の伝送方法。
【請求項１４】
前記ビーム障害回復要求ＢＦＲＱには、前記第１のセルの識別子が含まれる、ことを特徴とする請求項１３に記載のビーム障害回復要求の伝送方法。
【請求項１５】
第２のセルにおいてビーム障害回復要求ＢＦＲＱを端末機器から受信することは、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記端末機器から受信することを含む、ことを特徴とする請求項１３に記載のビーム障害回復要求の伝送方法。
【請求項１６】
前記第２のセルは、前記第２のネットワーク機器によりサービスが提供されるプライマリセル、又は前記第２のネットワーク機器によりサービスが提供されるセカンダリセルである、ことを特徴とする請求項１３に記載のビーム障害回復要求の伝送方法。
【請求項１７】
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項１３〜１６のいずれか１項に記載のビーム障害回復要求の伝送方法。
【請求項１８】
前記第２のセルは、前記第４のネットワーク機器により前記端末機器に対して配置された、前記第１のセルと予め設定される関連関係を持っている一つのセルであり、又は前記第４のネットワーク機器により前記端末機器に対して配置された一つのセルであり、又は前記第４のネットワーク機器により前記端末機器に対して配置された複数のセルのうち、前記第４のネットワーク機器によって前記端末機器に対して指示された一つのセルであり、又は前記第４のネットワーク機器により前記端末機器に対して配置された複数のセルのうち、前記端末機器により決定されたセルである、ことを特徴とする請求項１７に記載のビーム障害回復要求の伝送方法。
【請求項１９】
第２のセルにおいてビーム障害回復要求ＢＦＲＱを端末機器から受信することは、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記端末機器から受信することを含む、ことを特徴とする請求項１３に記載のビーム障害回復要求の伝送方法。
【請求項２０】
前記第１のキャリアは、通信プロトコルにより規定されたもの、又は第５のネットワーク機器によって前記端末機器に対して配置又はスケジューリングされたものである、ことを特徴とする請求項１９に記載のビーム障害回復要求の伝送方法。
【請求項２１】
第１のネットワーク機器によりサービスが提供される第１のセルにビーム障害イベントが発生したことを決定するための決定モジュールと、
前記第１のセルにビーム障害イベントが発生したことを指示するためのビーム障害回復要求ＢＦＲＱを第２のネットワーク機器に、前記第２のネットワーク機器によりサービスが提供される第２のセルにおいて送信するための送信モジュールとを含み、
そのうち、前記第２のセルと前記第１のセルとは異なる、ことを特徴とする端末機器。
【請求項２２】
前記ビーム障害回復要求ＢＦＲＱには、前記第１のセルの識別子が含まれる、ことを特徴とする請求項２１に記載の端末機器。
【請求項２３】
前記送信モジュールは、具体的には、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記第２のネットワーク機器に送信するために用いられる、ことを特徴とする請求項２１に記載の端末機器。
【請求項２４】
前記第２のセルは、前記第２のネットワーク機器によりサービスが提供されるプライマリセル、又は前記第２のネットワーク機器によりサービスが提供されるセカンダリセルである、ことを特徴とする請求項２１に記載の端末機器。
【請求項２５】
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項２１〜２４のいずれか１項に記載の端末機器。
【請求項２６】
前記第２のセルは、前記第４のネットワーク機器により前記端末機器に対して配置された、前記第１のセルと予め設定される関連関係を持っている一つのセルであり、又は前記第４のネットワーク機器により前記端末機器に対して配置された一つのセルであり、又は前記第４のネットワーク機器により前記端末機器に対して配置された複数のセルのうち、前記第４のネットワーク機器によって前記端末機器に対して指示された一つのセルであり、又は前記第４のネットワーク機器により前記端末機器に対して配置された複数のセルのうち、前記端末機器により決定されたセルである、ことを特徴とする請求項２５に記載の端末機器。
【請求項２７】
前記送信モジュールは、具体的には、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記第２のネットワーク機器に送信するために用いられる、ことを特徴とする請求項２１に記載の端末機器。
【請求項２８】
前記第１のキャリアは、通信プロトコルにより規定されたもの、又は第５のネットワーク機器によって前記端末機器に対して配置又はスケジューリングされたものである、ことを特徴とする請求項２７に記載の端末機器。
【請求項２９】
第２のキャリアを指示するための第１の情報を取得するための取得モジュールをさらに含み、前記第２のキャリアは、前記端末機器による前記ビーム障害回復要求ＢＦＲＱの送信に用いられ、物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも２つを含み、
前記決定モジュールは、さらに、第１の予め設定された規則に従って、前記取得モジュールによって取得された前記第２のキャリアの中から前記第１のキャリアを決定するために用いられ、
そのうち、前記第１の予め設定された規則は、前記第２のキャリアのうちのいずれか一つのキャリア、前記第２のキャリアのうち優先度が最も高いキャリア、前記第２のキャリアのうち現在時刻から最初に開始送信時刻に達するキャリア、前記第２のキャリアのうちのすべてのキャリア、のうちのいずれか１つである、ことを特徴とする請求項２７に記載の端末機器。
【請求項３０】
前記第１の予め設定された規則は、通信プロトコルにより規定されたもの、又は第６のネットワーク機器により前記端末機器に対して配置されたもの、又は前記端末機器によって決定されたものである、ことを特徴とする請求項２９に記載の端末機器。
【請求項３１】
前記第１のキャリアが物理上りリンク制御チャネルＰＵＣＣＨ又はセミパーシステント−物理上りリンク共有チャネルＳＰ−ＰＵＳＣＨのうちの少なくとも１つを含む場合、前記送信モジュールは、具体的には、
ターゲットチャネルには第２の情報が含まれている場合、第２の予め設定された規則に従って、物理上りリンク制御チャネルＰＵＣＣＨ又はセミパーシステント−物理上りリンク共有チャネルＳＰ−ＰＵＳＣＨである前記ターゲットチャネルを介して、前記第２のセルにおいて前記ビーム障害回復要求ＢＦＲＱを前記第２のネットワーク機器に送信するために用いられ、
そのうち、前記第２の予め設定された規則は、前記第２の情報及び前記ビーム障害回復要求ＢＦＲＱの優先度に従って前記ビーム障害回復要求ＢＦＲＱを送信すること、又は前記第２の情報及び前記ビーム障害回復要求ＢＦＲＱを多重送信すること、又は前記ビーム障害回復要求ＢＦＲＱを優先的に送信することである、ことを特徴とする請求項２７〜３０のいずれか１項に記載の端末機器。
【請求項３２】
前記第２の予め設定された規則は、通信プロトコルにより規定されたもの、又は第７のネットワーク機器により前記端末機器に対して配置されたもの、又は前記端末機器によって決定されたものである、ことを特徴とする請求項３１に記載の端末機器。
【請求項３３】
第２のネットワーク機器であるネットワーク機器であって、
前記第２のネットワーク機器によりサービスが提供される第２のセルにおいて、第１のネットワーク機器によりサービスが提供される第１のセルにビーム障害イベントが発生したことを指示するためのビーム障害回復要求ＢＦＲＱを端末機器から受信するための受信モジュールを含み、
そのうち、前記第２のセルと前記第１のセルとは異なる、ことを特徴とするネットワーク機器。
【請求項３４】
前記ビーム障害回復要求ＢＦＲＱには、前記第１のセルの識別子が含まれる、ことを特徴とする請求項３３に記載のネットワーク機器。
【請求項３５】
前記受信モジュールは、具体的には、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記端末機器から受信するために用いられる、ことを特徴とする請求項３３に記載のネットワーク機器。
【請求項３６】
前記第２のセルは、前記第２のネットワーク機器によりサービスが提供されるプライマリセル、又は前記第２のネットワーク機器によりサービスが提供されるセカンダリセルである、ことを特徴とする請求項３３に記載のネットワーク機器。
【請求項３７】
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項３３〜３６のいずれか１項に記載のネットワーク機器。
【請求項３８】
前記第２のセルは、前記第４のネットワーク機器により前記端末機器に対して配置された、前記第１のセルと予め設定される関連関係を持っている一つのセルであり、又は前記第４のネットワーク機器により前記端末機器に対して配置された一つのセルであり、又は前記第４のネットワーク機器により前記端末機器に対して配置された複数のセルのうち、前記第４のネットワーク機器によって前記端末機器に対して指示された一つのセルであり、又は前記第４のネットワーク機器により前記端末機器に対して配置された複数のセルのうち、前記端末機器により決定されたセルである、ことを特徴とする請求項３７に記載のネットワーク機器。
【請求項３９】
前記受信モジュールは、具体的には、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記端末機器から受信するために用いられる、ことを特徴とする請求項３３に記載のネットワーク機器。
【請求項４０】
前記第１のキャリアは、通信プロトコルにより規定されたもの、又は第５のネットワーク機器によって前記端末機器に対して配置又はスケジューリングされたものである、ことを特徴とする請求項３９に記載のネットワーク機器。
【請求項４１】
プロセッサ、メモリ、及び、前記メモリに記憶されており、且つ前記プロセッサで運行できるコンピュータプログラムを含み、前記コンピュータプログラムが前記プロセッサによって実行されるとき、請求項１〜１２のいずれか１項に記載のビーム障害回復要求の伝送方法のステップを実現する、ことを特徴とする端末機器。
【請求項４２】
第２のネットワーク機器であるネットワーク機器であって、
プロセッサ、メモリ、及び、前記メモリに記憶されており、且つ前記プロセッサで運行できるコンピュータプログラムを含み、前記コンピュータプログラムが前記プロセッサによって実行されるとき、請求項１３〜２０のいずれか１項に記載のビーム障害回復要求の伝送方法のステップを実現する、ことを特徴とするネットワーク機器。
【請求項４３】
コンピュータプログラムが記憶されており、前記コンピュータプログラムがプロセッサによって実行されるとき、請求項１〜２０のいずれか１項に記載のビーム障害回復要求の伝送方法のステップを実現する、ことを特徴とするコンピュータ可読記憶媒体。
【発明の詳細な説明】
【技術分野】
【０００１】
（関連出願の相互参照）
本出願は、２０１８年０９月２８日に中国国家知識産権局に提出された、出願番号が２０１８１１１４２６５４．２であり、出願の名称が「ビーム障害回復要求の伝送方法、端末機器及びネットワーク機器」である中国特許出願の優先権を主張しており、同出願の内容のすべては、本出願に参照として取り込まれる。
本発明の実施例は、通信技術分野に関し、特にビーム障害回復要求の伝送方法、端末機器及びネットワーク機器に関する。
【背景技術】
【０００２】
高周波帯域通信システムでは、無線信号の波長が比較的短いので、信号がブロックされたり、端末機器（Ｕｓｅｒ  Ｅｑｕｉｐｍｅｎｔ）が移動したりするなどの原因により通信が中断されやすく、通信中断が発生したときに、システムはビーム障害回復（ｂｅａｍ  ｆａｉｌｕｒｅ  ｒｅｃｏｖｅｒｙ）を通じて通信を回復する必要がある。
【０００３】
通常、ビーム障害回復の一般的な過程は以下のとおりである。端末機器は、ビーム障害イベント（ｂｅａｍ  ｆａｉｌｕｒｅ  ｅｖｅｎｔ）が発生しており且つビーム障害回復要求のトリガー条件が満たされると決定した場合、決定した候補ビーム（ｃａｎｄｉｄａｔｅ  ｂｅａｍ）に関連するＰＲＡＣＨリソースでビーム障害回復要求（ｂｅａｍ  ｆａｉｌｕｒｅ  ｒｅｃｏｖｅｒｙ  ｒｅｑｕｅｓｔ、ＢＦＲＱ）をネットワーク機器に送信してもよい。ネットワーク機器は、このビーム障害回復要求を受信すると、応答シグナリング（ビーム障害回復を行うように端末機器に指示する）を端末機器に送信してもよい。端末機器は、この応答指令を受信すると、この応答指令に応じてビーム障害回復を行ってもよい。
【０００４】
そのうち、候補ビームは、端末機器によって候補ビームリファレンス信号（ｃａｎｄｉｄａｔｅ  ｂｅａｍ  ＲＳ）を測定して決定された、予め設定された条件を満たすビームである。しかしながら、ネットワーク機器が、ビーム障害が発生したセカンダリセル（Ｓｃｅｌｌ）に対して候補ビームリファレンス信号を配置していない場合、端末機器は候補ビームを決定できない。この場合、このセカンダリセルにビーム障害イベントが発生すれば、端末機器は、ビーム障害回復要求をネットワーク機器に送信できないことになる。
【発明の概要】
【発明が解決しようとする課題】
【０００５】
本発明の実施例は、セカンダリセルにビーム障害イベントが発生した場合、端末機器が、ビーム障害回復要求をネットワーク機器に送信できないことになるという従来技術の問題を解決するためのビーム障害回復要求の伝送方法、端末機器及びネットワーク機器を提供する。
【課題を解決するための手段】
【０００６】
上記技術的課題を解決するために、本出願は以下のように実現される。
【０００７】
第１の局面では、本発明の実施例は、端末機器に用いられるビーム障害回復要求の伝送方法を提供する。この方法は、
第１のネットワーク機器によりサービスが提供される第１のセルにビーム障害イベントが発生したことを決定することと、
この第１のセルにビーム障害イベントが発生したことを指示するためのＢＦＲＱを第２のネットワーク機器に、この第２のネットワーク機器によりサービスが提供される第２のセルにおいて送信することとを含み、
そのうち、この第２のセルとこの第１のセルとは異なり、この第１のネットワーク機器とこの第２のネットワーク機器は、ともにこの端末機器に対してサービスを提供する。
【０００８】
第２の局面では、本発明の実施例は、第２のネットワーク機器に用いられるビーム障害回復要求の伝送方法を提供する。この方法は、
この第２のネットワーク機器によりサービスが提供される第２のセルにおいて、第１のネットワーク機器によりサービスが提供される第１のセルにビーム障害イベントが発生したことを指示するためのＢＦＲＱを端末機器から受信することを含み、
そのうち、この第２のセルとこの第１のセルとは異なり、この第１のネットワーク機器とこの第２のネットワーク機器は、ともにこの端末機器に対してサービスを提供する。
【０００９】
第３の局面では、本発明の実施例は、端末機器を提供する。この端末機器は、
第１のネットワーク機器によりサービスが提供される第１のセルにビーム障害イベントが発生したことを決定するための決定モジュールと、
この第１のセルにビーム障害イベントが発生したことを指示するためのＢＦＲＱを第２のネットワーク機器に、この第２のネットワーク機器によりサービスが提供される第２のセルにおいて送信するための送信モジュールとを含み、
そのうち、この第２のセルとこの第１のセルとは異なり、この第１のネットワーク機器とこの第２のネットワーク機器は、ともにこの端末機器に対してサービスを提供する。
【００１０】
第４の局面では、本発明の実施例は、第２のネットワーク機器であるネットワーク機器を提供する。このネットワーク機器は、
この第２のネットワーク機器によりサービスが提供される第２のセルにおいて、第１のネットワーク機器によりサービスが提供される第１のセルにビーム障害イベントが発生したことを指示するためのＢＦＲＱを端末機器から受信するための受信モジュールを含み、
そのうち、この第２のセルとこの第１のセルとは異なり、この第１のネットワーク機器とこのネットワーク機器は、ともにこの端末機器に対してサービスを提供する。
【００１１】
第５の局面では、本発明の実施例は、端末機器を提供する。この端末機器は、プロセッサ、メモリ、及び、前記メモリに記憶されており、且つ前記プロセッサで運行できるコンピュータプログラムを含み、前記コンピュータプログラムが前記プロセッサによって実行されるとき、第１の局面に記載のビーム障害回復要求の伝送方法のステップを実現する。
【００１２】
第６の局面では、本発明の実施例は、第２のネットワーク機器であるネットワーク機器を提供する。このネットワーク機器は、プロセッサ、メモリ、及び、前記メモリに記憶されており、且つ前記プロセッサで運行できるコンピュータプログラムを含み、前記コンピュータプログラムが前記プロセッサによって実行されるとき、第２の局面に記載のビーム障害回復要求の伝送方法のステップを実現する。
【００１３】
第７の局面では、本発明の実施例は、コンピュータ可読記憶媒体を提供する。前記コンピュータ可読記憶媒体にはコンピュータプログラムが記憶されている、前記コンピュータプログラムがプロセッサによって実行されるとき、上記ビーム障害回復要求の伝送方法のステップを実現する。
【発明の効果】
【００１４】
本発明の実施例では、端末機器は、第１のセルにビーム障害イベントが発生したことを決定し、第２のセルにおいてＢＦＲＱを第２のネットワーク機器に送信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【図面の簡単な説明】
【００１５】
【図１】本発明の実施例による通信システムの構造模式図である。
【図２】本発明の実施例によるビーム障害回復要求の伝送方法のフローチャートのその一である。
【図３】本発明の実施例によるビーム障害回復要求の伝送方法のフローチャートのその二である。
【図４】本発明の実施例による端末機器の構造模式図のその一である。
【図５】本発明の実施例による端末機器の構造模式図のその二である。
【図６】本発明の実施例によるネットワーク機器の構造模式図のその一である。
【図７】本発明の実施例によるネットワーク機器の構造模式図のその二である。
【発明を実施するための形態】
【００１６】
以下は、本発明の実施例における添付図面を結び付けながら、本発明の実施例における技術案を明瞭且つ完全に記述する。明らかに、記述された実施例は、本出願の一部の実施例であり、全部の実施例ではない。本出願における実施例に基づき、当業者が創造的な労力を払わない前提で得られたすべての他の実施例は、いずれも本出願の保護範囲に属する。
以下は、本発明の実施例における添付図面を結び付けながら、本発明の実施例における技術案を明瞭且つ完全に記述する。明らかに、記述された実施例は、本発明の一部の実施例であり、全部の実施例ではない。本発明における実施例に基づき、当業者が創造的な労力を払わない前提で得られたすべての他の実施例は、いずれも本出願の保護範囲に属する。
【００１７】
本発明の実施例では、「例示的に」又は「例えば」などの用語は、例、例証又は説明として表すために用いられる。本発明の実施例では、「例示的に」又は「例えば」と記述される任意の実施例又は設計方案は他の実施例又は設計方案よりも好ましいか、又は優位性を有するものとして解釈すべきではない。正確にいうと、「例示的に」又は「例えば」などの用語の使用は、具体的な形態で関連概念を示すことを目的とする。
【００１８】
本発明の実施例の説明において、ほかの説明がある場合以外、「複数」とは、２つまたは２つより大きいことを意味する。例えば、複数の処理ユニットとは、２つまたは２つより大きい処理ユニットであり、複数の素子とは、２つまたは２つより大きい素子である。
【００１９】
高周波帯域通信システムでは、通信中断が発生した場合、伝統的な無線リンク再確立の方式で通信を回復するのは、時間がかかるため、従来技術には、ビーム障害回復メカニズムが導入されている。ビーム障害回復メカニズムは、一般には、ビーム障害検出（Ｂｅａｍ  ｆａｉｌｕｒｅ  ｄｅｔｅｃｔｉｏｎ）、候補ビーム識別（Ｎｅｗ  ｃａｎｄｉｄａｔｅ  ｂｅａｍ  ｉｄｅｎｔｉｆｉｃａｔｉｏｎ）、ビーム障害回復要求（Ｂｅａｍ  ｆａｉｌｕｒｅ  ｒｅｃｏｖｅｒｙ  ｒｅｑｕｅｓｔ、ＢＦＲＱ）の送信及びビーム障害回復要求応答（ｒｅｓｐｏｎｓｅ  ｆｏｒ  ｂｅａｍ  ｆａｉｌｕｒｅ  ｒｅｃｏｖｅｒｙ  ｒｅｑｕｅｓｔ）の受信の４つの内容を含む。
【００２０】
ビーム障害検出：端末機器は、物理層においてビーム障害検出リファレンス信号（ｂｅａｍ  ｆａｉｌｕｒｅ  ｄｅｔｅｃｔｉｏｎ  ｒｅｆｅｒｅｎｃｅ  ｓｉｇｎａｌ、ＢＦＤ  ＲＳ）を測定し、測定結果に基づいてビーム障害イベントが発生したか否かを判断する。判断の条件は以下のとおりである。すべてのサービスビームｓｅｒｖｉｎｇ  ｂｅａｍの計量基準ｍｅｔｒｉｃ（仮想的な物理下りリンク制御チャネルブロックエラー率（ｈｙｐｏｔｈｅｔｉｃａｌ  Ｐｈｙｓｉｃａｌ  Ｄｏｗｎｌｉｎｋ  Ｃｏｎｔｒｏｌ  Ｃｈａｎｎｅｌ  ｂｌｏｃｋ  ｅｒｒｏｒ  ｒａｔｅ、ｈｙｐｏｔｈｅｔｉｃａｌ  ＰＤＣＣＨ  ＢＬＥＲ））が予め設定された条件を満たすこと（予め設定されたしきい値を超えること）を検出すると、１回のビーム障害インスタンス（ｂｅａｍ  ｆａｉｌｕｒｅ  ｉｎｓｔａｎｃｅ、ＢＦＩ）として決定し、端末機器の物理層は、端末機器の上位層（ＭＡＣ層）に一つの指示を報告する。この報告過程は、周期的であり、ビーム障害インスタンスＢＦＩ報告周期は、ＢＦＤ  ＲＳの最短周期であり、下限が２ｍｓである。逆には、端末機器の物理層は、ビーム障害インスタンス（ｂｅａｍ  ｆａｉｌｕｒｅ  ｉｎｓｔａｎｃｅ）が発生しないと決定すると、上位層に指示を送信しない。端末機器の上位層は、カウンター（ｃｏｕｎｔｅｒ）及びタイマー（ｔｉｍｅｒ）を用いて物理層から報告されたビーム障害インスタンスＢＦＩを計数する。ビーム障害インスタンスＢＦＩを受け取るたびに、タイマーを再起動する。タイマーがタイムアウトになると、カウンターは再び計数する。カウンターがネットワークにより配置された最大回数に達すると、端末機器は、ビーム障害イベントが発生したと決定する。従来技術では、端末機器のＭＡＣ層のカウンター及びタイマーは、アクティブ帯域幅部分（ａｃｔｉｖｅ  ＢＷＰ）ごとに配置されるものである。各ＢＷＰにおけるカウンター及びタイマーの起動及びメンテナンスが独立したものであり、すなわち、各ＢＷＰのカウンター及びタイマーは、独立して作動し、起動、リセット、計数、計時等を含む。
【００２１】
候補ビーム識別：ネットワーク機器は、端末に候補ビームリファレンス信号（ｃａｎｄｉｄａｔｅ  ｂｅａｍ  ＲＳ）を配置し、端末機器の物理層は候補ビームリファレンス信号を測定し、新しい候補ビームを探す。本ステップは、必ずしもビーム障害イベント（ｂｅａｍ  ｆａｉｌｕｒｅ  ｅｖｅｎｔ）の発生後ではなく、発生前であってもよい。すなわち、任意の時刻に発生し得る。端末機器の物理層は、端末機器の上位層（ＭＡＣ層）からの要求、指示又は通知を受け取ると、予め設定された条件（候補ビームリファレンス信号に対して測定された層１−リファレンス信号受信電力（Ｌａｙｅｒ  １−Ｒｅｆｅｒｅｎｃｅ  Ｓｉｇｎａｌ  Ｒｅｃｅｉｖｉｎｇ  Ｐｏｗｅｒ、Ｌ１−ＲＳＲＰ）が予め設定されたしきい値を超えること）を満たす測定結果を端末機器の上位層に報告する。報告内容は、｛ｂｅａｍ  ＲＳ  ｉｎｄｅｘ，Ｌ１−ＲＳＲＰ｝とし、端末機器の上位層は、物理層の報告に基づいて候補ビームを選択する。
【００２２】
ビーム障害回復要求：端末機器の上位層（ＭＡＣ層）は、選択した候補ビームに基づいて物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースを決定する。端末機器により候補ビームが見つかり、且つこの候補ビームにそれに関連する非競争的ＰＲＡＣＨリソースが配置された場合、非競争的なＰＲＡＣＨリソースを用いてビーム障害回復要求を基地局に送信する。そうでなければ、端末機器は、競争に基づくＰＲＡＣＨリソースを使用することができる。ビーム障害回復タイマー（ｂｅａｍ  ｆａｉｌｕｒｅ  ｒｅｃｏｖｅｒｙ  ｔｉｍｅｒ）がタイムアウトとなると、競争に基づくＰＲＡＣＨリソースしか使用できない。２つのＰＲＡＣＨリソース（非競争的ＰＲＡＣＨリソースと競争に基づくＰＲＡＣＨリソース）の総使用回数は予め設定された値を超えてはならない。ここでの非競争的ＰＲＡＣＨリソース及び他のＰＲＡＣＨリソース（例えば初期アクセス用のＰＲＡＣＨリソース）は、ＦＤＭ又はＣＤＭであってもよい。なお、伝統的な方案では、物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）によるＢＦＲＱの送信もサポートする。
【００２３】
端末機器は、基地局のビーム障害回復要求応答をモニタリングし、すなわち、基地局は、このＢＦＲＱを受信すると、配置された制御リソースセット−ビーム障害回復（ＣＯＲＥＳＥＴ（Ｃｏｎｔｒｏｌ  Ｒｅｓｏｕｒｃｅ  ＳＥＴ）−ＢＦＲ）における専用的（ｄｅｄｉｃａｔｅｄ）ＰＤＣＣＨにおいて応答（ｒｅｓｐｏｎｓｅ）を送信し、セル無線ネットワーク一時的識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）を携帯し、そして、新しい候補ビームへの切り替え、又はビーム検索の再起動や他の指示を含む可能性もある。ＣＯＲＥＳＥＴ−ＢＦＲ及び端末機器が見つけた候補ビームの下りリンク（Ｄｏｗｎｌｉｎｋ、ＤＬ）リファレンス信号（Ｒｅｆｅｒｅｎｃｅ  Ｓｉｇｎａｌ、ＲＳ）は、疑似コロケーション（Ｑｕａｓｉ−Ｃｏ−Ｌｏｃａｔｉｏｎ、ＱＣＬ）のものである。ビーム障害回復（ｂｅａｍ  ｆａｉｌｕｒｅ  ｒｅｃｏｖｅｒｙ）に失敗したら、端末機器の物理層は一つの指示を端末機器の上位層に送信し、後続の無線リンク障害過程に対する上位層の決定に用いられる。
【００２４】
しかし、端末機器がビーム障害イベントの発生したセカンダリセルにおいてＢＦＲＱを送信できない（ネットワーク機器がこのセカンダリセルに対して候補ビームリファレンス信号を配置していないこと、又はこのセカンダリセルに対してＢＦＲＱを送信する上りリンクチャネルリソースを配置していないことを含むが、これらに限定されない）場合、端末機器は、上述したビーム障害回復メカニズムに従ってビーム障害回復要求を伝送できない。
【００２５】
したがって、本発明の実施例は、ビーム障害回復要求の伝送方法を提供する。端末機器は、第１のセルにビーム障害イベントが発生したことを決定し、第２のセルにおいてＢＦＲＱを第２のネットワーク機器に送信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【００２６】
説明すべきなのは、本発明の実施例によるビーム障害回復要求の伝送方法はビーム障害回復メカニズムだけではなく、本セルで情報の送信が便利ではない場合や情報を送信できない場合、他のセル（プライマリセル又はセカンダリセル）のリソースにおいてこの情報を送信するというほかのシナリオにも適用でき、本出願では具体的な適用シナリオを限定しないことである。
【００２７】
本出願による技術案は、各種の通信システム、例えば、５Ｇ通信システム、将来進化システム、又は様々な通信融合システムなどに適用できる。例えば、マシンツーマシン（Ｍａｃｈｉｎｅ  ｔｏ  Ｍａｃｈｉｎｅ、Ｍ２Ｍ）、Ｄ２Ｍ、マクロ・ミクロ通信、拡張型モバイルインターネット（ｅｎｈａｎｃｅ  Ｍｏｂｉｌｅ  Ｂｒｏａｄｂａｎｄ、ｅＭＢＢ）、超高信頼性・超低遅延通信（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）及び大規模マシン型通信（Ｍａｓｓｉｖｅ  Ｍａｃｈｉｎｅ  Ｔｙｐｅ  Ｃｏｍｍｕｎｉｃａｔｉｏｎ、ｍＭＴＣ）など、さまざまな適用シナリオを含んでもよい。これらのシナリオは、端末機器と端末機器との間の通信、又はネットワーク機器とネットワーク機器との間の通信、又はネットワーク機器と端末機器との間の通信などのシナリオを含むが、これらに限定されない。本発明の実施例は、５Ｇ通信システムにおけるネットワーク機器と端末機器との間の通信、又は端末機器と端末機器との間の通信、又はネットワーク機器とネットワーク機器との間の通信に適用できる。
【００２８】
図１は、本発明の実施例に係る通信システムの１つの選択的な構造模式図を示した。図１に示すように、この通信システムは、少なくとも１つのネットワーク機器１００（図１には、１つのみを例として説明される）及びネットワーク機器１００それぞれが接続された１つまたは複数の端末機器２００（図１には、１つのみを例として説明される）を含む。
【００２９】
この少なくとも１つのネットワーク機器１００は、１つのセルグループ（例えばマスターセルグループ（Ｍａｓｔｅｒ  Ｃｅｌｌ  Ｇｒｏｕｐ、ＭＣＧ）、又はセカンダリセルグループ（Ｓｅｃｏｎｄａｒｙ  Ｃｅｌｌ  Ｇｒｏｕｐ、ＳＣＧ））にサービスを提供することができる。１つのセルグループには、少なくとも、１つのプライマリセル（例えばマスターセルグループにおけるプライマリセル（Ｐｒｉｍａｒｙ  Ｃｅｌｌ、ＰＣｅｌｌ）又はセカンダリセルグループにおけるプライマリセカンダリセル（Ｐｒｉｍａｒｙ  Ｓｅｃｏｎｄａｒｙ  Ｃｅｌｌ、ＰＳＣｅｌｌ））が含まれ、また、少なくとも１つのセカンダリセル（例えばマスターセルグループにおけるセカンダリセル（Ｓｅｃｏｎｄａｒｙ  Ｃｅｌｌ、ＳＣｅｌｌ）又はセカンダリセルグループにおけるセカンダリセル（Ｓｅｃｏｎｄａｒｙ  Ｃｅｌｌ、ＳＣｅｌｌ））がさらに含まれてもよい。
【００３０】
例示的に、上記図１に示す通信システムはマルチ搬送波通信システム、例えば、搬送波アグリゲーションシナリオ、二重接続シナリオなどであってもよい。本発明の実施例ではそれを限定しない。
【００３１】
そのうち、上述したネットワーク機器１００は、基地局、コアネットワーク機器、送受信ノード（Ｔｒａｎｓｍｉｓｓｉｏｎ  ａｎｄ  Ｒｅｃｅｐｔｉｏｎ  Ｐｏｉｎｔ、ＴＲＰ）、中継局またはアクセスポイントなどであってもよい。ネットワーク機器１００は、グローバルモバイル通信システム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）ネットワークにおけるベーストランシーバステーション（Ｂａｓｅ  Ｔｒａｎｓｃｅｉｖｅｒ  Ｓｔａｔｉｏｎ、ＢＴＳ）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）におけるＮＢ（ＮｏｄｅＢ）であってもよいし、ＬＴＥにおけるｅＮＢ又はｅＮｏｄｅＢ（ｅｖｏｌｕｔｉｏｎａｌ  ＮｏｄｅＢ）であってもよい。ネットワーク機器１００は、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであってもよい。ネットワーク機器１００は、５Ｇ通信システムにおけるネットワーク機器又は将来進化ネットワークにおけるネットワーク機器であってもよい。ただし、これらは本出願を制限するものではない。
【００３２】
端末機器２００は、無線端末機器であってもよいし、有線端末機器であってもよく、この無線端末機器は、ユーザへ音声及び／又は他のサービスデータの連通性を提供する機器、無線通信機能を有するハンドヘルド型機器、コンピューティング機器又は無線モデムに接続されるほかの処理機器、車載機器、ウェアラブル機器、将来の５Ｇネットワークにおける端末機器又将来進化ＰＬＭＮネットワークにおける端末機器などであってもよい。無線端末機器は、無線アクセスネットワーク（Ｒａｄｉｏ  Ａｃｃｅｓｓ  Ｎｅｔｗｏｒｋ、ＲＡＮ）を介して１つまたは複数のコアネットワークと通信することができる。無線端末機器は、携帯電話（または「セルラー」電話と呼ばれる）のようなモバイル端末機器と、モバイル端末機器を有するコンピュータであってもよい。例えば、ワイヤレス・アクセス・ネットワークと言語及び／又はデータをやり取りする可搬型、ポケット型、ハンドヘルド型、コンピュータ内蔵型または車載型の移動装置、及びパーソナルコミュニケーションサービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、無線ローカルループ（Ｗｉｒｅｌｅｓｓ  Ｌｏｃａｌ  Ｌｏｏｐ、ＷＬＬ）局、パーソナル・デジタル・アシスタント（Ｐｅｒｓｏｎａｌ  Ｄｉｇｉｔａｌ  Ａｓｓｉｓｔａｎｔ、ＰＤＡ）などの機器であってもよい。無線端末機器は、モバイル機器、ユーザ機器（Ｕｓｅｒ  Ｅｑｕｉｐｍｅｎｔ、ＵＥ）、ＵＥ端末機器、アクセス端末機器、無線通信機器、端末機器ユニット、端末機器局、移動局（Ｍｏｂｉｌｅ  Ｓｔａｔｉｏｎ）、移動テーブル（Ｍｏｂｉｌｅ）、リモート局（Ｒｅｍｏｔｅ  Ｓｔａｔｉｏｎ）、遠隔局、リモート端末機器（Ｒｅｍｏｔｅ  Ｔｅｒｍｉｎａｌ）、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、ユーザエージェント（Ｕｓｅｒ  Ａｇｅｎｔ）、端末機器装置などであってもよい。例としては、本出願の実施例では、図１は、端末機器が携帯電話であることを例として示される。
【００３３】
図１に示すように、ネットワーク機器１００が１つのセルグループにサービスを提供し、このセルグループには１つのプライマリセルと複数のセカンダリセルが含まれるとすれば、端末機器２００は、この複数のセカンダリセルのうちの第１のセルにビーム障害イベントが発生したと決定する場合、このセルグループのうちの第２のセルにおいて、第１のセルにビーム障害イベントが発生したことを指示するためのＢＦＲＱをネットワーク機器１００に送信し、ネットワーク機器１００は、このＢＦＲＱを受信し、この第１のセルにビーム障害回復処理を行う。そのうち、第２のセルは、プライマリセルであってもよく、この複数のセカンダリセルのうち第１のセルと異なるほかのセカンダリセルであってもよい。説明すべきなのは、具体的な実施過程において、１つのセルグループは、少なくとも１つのネットワーク機器によりサービスが提供されてもよく、第１のセルと第２のセルは、同一のセルグループにおける異なるネットワーク機器によりサービスが提供されるセルであってもよく、異なるセルグループに属してもよいことである。具体的には、１つのセルグループがある場合、このセルグループは、少なくとも、１つのプライマリセルと１つのセカンダリセルを含む。この場合、ビーム障害イベントが発生した上記第１のセルは、このセルグループにおけるセカンダリセルであり、上記第２のセルは、このセルグループにおけるプライマリセルであってもよく、第１のセルと異なる他のセカンダリセルであってもよい。少なくとも２つのセルグループがある場合、そのうちの１つのセルグループは、少なくとも、１つのプライマリセルと１つのセカンダリセル（例えばビーム障害イベントが発生した上記第１のセルであってもよい）を含み、他のセルグループのうちの各セルグループは、少なくとも、１つのプライマリセルを含む。
【００３４】
本発明の実施例によるビーム障害回復要求の伝送方法は、ビーム障害イベントが発生したセカンダリセルにおいて端末機器がＢＦＲＱを送信できない（ネットワーク機器がこのセカンダリセルに対して候補ビームリファレンス信号を配置していないこと、又はこのセカンダリセルに対してＢＦＲＱを送信する上りリンクチャネルリソースを配置していないことを含むが、これらに限定されない）シナリオに適用できる。即ち、本発明の実施例によるビーム障害回復要求の伝送方法では、ビーム障害イベントが発生したセカンダリセルにおいて端末機器がＢＦＲＱを送信できない場合でも、端末機器は、他のセル（例えばプライマリセル又は他のセカンダリセル）においてＢＦＲＱを送信し、ビーム障害回復要求の伝送を完成することができる。
【００３５】
図２は、本発明の実施例によるビーム障害回復要求の伝送方法の模式的フローチャートを示し、図２に示すように、この方法は、端末機器に適用でき、このビーム障害回復要求の伝送方法は、ステップ２０１とステップ２０２を含んでもよい。
【００３６】
ステップ２０１：端末機器は、第１のセルにビーム障害イベントが発生したと決定する。
【００３７】
この第１のセルは、第１のネットワーク機器によりサービスが提供される。
【００３８】
ネットワーク機器は、無線リソース制御（Ｒａｄｉｏ  Ｒｅｓｏｕｒｃｅ  Ｃｏｎｔｒｏｌ、ＲＲＣ）シグナリングを介して、端末機器が位置するセルグループにおける各セルに対してＢＦＤ  ＲＳリソースを配置してもよい。このＲＲＣシグナリングには、このＢＦＤ  ＲＳリソースが位置するセル識別子（例えば、セルインデックス（ｃｅｌｌ  ｉｎｄｅｘ））がさらに含まれてもよい。
【００３９】
そのうち、ここでは、ＲＲＣシグナリングを介して端末機器に対してＢＦＤ  ＲＳリソースを配置するネットワーク機器は、第１のネットワーク機器であってもよく、端末機器にサービスを提供する他の任意のネットワーク機器であってもよい。本発明の実施例ではそれについて限定しない。
【００４０】
端末機器は、このＢＦＤ  ＲＳを測定し、測定結果に基づいて、どのセルにビーム障害イベントが発生したかを決定する。具体的なこのＢＦＤ  ＲＳの検出過程について従来の関連技術を参照すればよく、ここでは詳しく説明しない。
【００４１】
例示的に、端末機器は、ＢＦＤ  ＲＳを測定し、結果に基づいて、第１のセルにビーム障害イベントが発生したことを決定する。
【００４２】
ステップ２０２：端末機器は、第２のセルにおいてＢＦＲＱを第２のネットワーク機器に送信する。
【００４３】
このＢＦＲＱは、この第１のセルにビーム障害イベントが発生したことを指示するために用いられ、この第２のセルは、この第２のネットワーク機器によりサービスが提供される。
【００４４】
そのうち、この第２のセルとこの第１のセルとは異なり、この第１のネットワーク機器とこの第２のネットワーク機器は、ともにこの端末機器に対してサービスを提供する。
【００４５】
第２のネットワーク機器と第１のネットワーク機器とは同じであってもよいし、異なってもよい。本発明の実施例ではそれについて限定しない。
【００４６】
選択的に、このＢＦＲＱにはこの第１のセルの識別子が含まれる。選択的に、このＢＦＲＱには、第１のセルにビーム障害イベントが発生したことを指示するための他の情報が含まれてもよい。選択的に、このＢＦＲＱは、第１のセルにビーム障害イベントが発生したこと以外のほかの情報を指示するために用いられてもよい。具体的には、実際なニーズに応じて設定すればよく、本発明の実施例ではそれについて限定しない。
【００４７】
このように、このＢＦＲＱを処理するネットワーク機器は、このＢＦＲＱを受信すると、この第１のセルの識別子に基づいて、ビーム障害イベントが発生したセルが第１のセルであると決定できる。
【００４８】
第１のセルは、通常、１つのセルグループにおけるセカンダリセルである。第１のセルと第２のセルとは、同一のセルグループにおけるセルであってもよく、異なるセルグループにおけるセルであってもよい。
【００４９】
選択的に、この第２のセルは、この第２のネットワーク機器によりサービスが提供されるプライマリセル、又はこの第２のネットワーク機器によりサービスが提供されるセカンダリセルである。
【００５０】
具体的には、第２のセルと第１のセルとは同一のセルグループにおけるセルであり、第１のセルは、当該セルグループのセカンダリセルであり、第２のセルは、当該セルグループにおけるプライマリセル又は第１のセルと異なるセカンダリセルであり、第２のセルと第１のセルとは異なるセルグループにおけるセルであり、第１のセルは、第１のセルグループにおけるセカンダリセルであり、第２のセルは、第２のセルグループにおけるプライマリセル又はセカンダリセルであり、第１のセルグループと第２のセルグループとは異なる（例えば二重接続シナリオでは、第１のセルグループは、マスターセルグループであり、第１のセルは、マスターセルグループにおけるセカンダリセルであり、第２のセルグループは、プライマリセカンダリセルグループであり、第２のセルは、プライマリセカンダリセルグループにおけるプライマリセカンダリセル又はセカンダリセルであるか、又は第１のセルは、プライマリセカンダリセルグループであり、第１のセルは、プライマリセカンダリセルグループにおけるセカンダリセルであり、第２のセルグループは、マスターセルグループであり、第２のセルは、マスターセルグループにおけるプライマリセル又はセカンダリセルである）。
【００５１】
このように、第１のセルにビーム障害イベントが発生した場合、複数のセルが、このＢＦＲＱを送信する能力を有してもよい。これにより、端末機器の選択性を増加し、柔軟性を向上し、さらにＢＦＲＱを迅速に送信し、通信効率や効能をさらに向上させることができる。
【００５２】
選択的に、この第２のセルは、この第２のセルのタイプが通信プロトコルにより規定されたものであること、この第２のセルがこの第４のネットワーク機器によりこの端末機器に対して配置されたものであること、及びこの第２のセルがこの端末機器により決定されたものであること、のうちの少なくとも１つによって決定される。具体的には、少なくとも以下のケースを含む。
【００５３】
１、通信プロトコルにおいて第２のセルのタイプがプライマリセルであると規定されている。
【００５４】
２、通信プロトコルにおいて、第２のセルのタイプがセカンダリセルであると規定されていると同時に、第４のネットワーク機器によりこの端末機器に対して第２のセルがどのセルグループにおけるどのセカンダリセルであるかが配置される。
【００５５】
３、通信プロトコルにおいて、第２のセルのタイプがセカンダリセルであると規定されていると同時に、端末機器により第２のセルがどのセルグループにおけるどのセカンダリセルであるかが決定される。
【００５６】
４、第４のネットワーク機器によりこの端末機器に対して第２のセルがどのセルグループにおけるプライマリセルであるか、それともどのセカンダリセルであるかが配置される。
【００５７】
５、端末機器により第２のセルがどのセルグループにおけるプライマリセルであるか、それともどのセカンダリセルであるかが決定される。
【００５８】
例示的に、通信プロトコルにおいて第２のセルのタイプがプライマリセルであると規定されていることは、「ＢＦＲＱを送信するための第２のセルのタイプは、プライマリセルである」を通信プロトコルに書き込むことであってもよい。
【００５９】
そのうち、第４のネットワーク機器は、第１のネットワーク機器又は第２のネットワーク機器と同じであってもよく、第１のネットワーク機器及び第２のネットワーク機器の両方と異なってもよい。具体的には、実際の状況に応じて設定してもよい。本発明の実施例ではそれについて限定しない。
【００６０】
選択的に、第４のネットワーク機器は、ＲＲＣシグナリングを介してこの端末機器に対してこの第２のセルを配置し、そのうち、ＲＲＣシグナリングは、ＲＲＣ初期配置シグナリング、又はＲＲＣ再配置シグナリングであってもよく、そして、ＲＲＣシグナリングの送信時間、送信形式などについては、本発明の実施例では限定しない。
【００６１】
以上の複数の方式のうちの少なくとも１つの方式により第２のセルを決定できるので、柔軟性が比較的高く、且つ、第２のセルを決定した後、端末機器によるＢＦＲＱ送信速度をさらに高めることができる。それにより、通信効率や効能を向上させることができる。
【００６２】
選択的に、この第２のセルがこの第４のネットワーク機器によりこの端末機器に対して配置されたものである場合、この第２のセルは、この第４のネットワーク機器によりこの端末機器に対して配置された、この第１のセルと予め設定された関連関係を持っている一つのセルであり、又はこの第４のネットワーク機器によりこの端末機器に対して配置された一つのセルであり、又はこの第４のネットワーク機器によりこの端末機器に対して配置された複数のセルのうち、この第４のネットワーク機器によりこの端末機器に対して指示された一つのセルであり、又はこの第４のネットワーク機器によりこの端末機器に対して配置された複数のセルのうち、この端末機器により決定されたセルである。
【００６３】
そのうち、１、予め設定された関連関係を持っているセルとは、互いにビーム障害回復要求を送信することができる複数のセルである。例えば関連関係を持っている複数のセルにおいて、端末機器は、そのうちの１つのセル（以下、Ａセルを例に説明する）にビーム障害イベントが発生したと決定すると、Ａセル以外の他のセルのうちのいずれか一つのセル（以下、Ｂセルを例に説明する）において、このＡセルにビーム障害イベントが発生したことを指示するためのＢＦＲＱをＢセルに対応するネットワーク機器に送信することができる。
【００６４】
例示的に、本発明の実施例では、第１のセルと第２のセルとは関連関係を持っている一つのセルである。すなわち、第１のセルにビーム障害イベントが発生した場合、端末機器は、第２のセルにおいてこの第１のセルにビーム障害イベントが発生したことを指示するためのＢＦＲＱを第２のネットワーク機器に送信することができる。第２のセルにビーム障害イベントが発生した場合、端末機器は第１のセルにおいて、この第２のセルにビーム障害イベントが発生したことを指示するためのＢＦＲＱを第２のネットワーク機器に送信することができる。
【００６５】
２、この第２のセルは、この第４のネットワーク機器によりこの端末機器に対して配置された一つのセルである。具体的には、この第２のセルは、この第４のネットワーク機器によりこの端末機器に対して配置された、ＢＦＲＱを送信するための一つの一定のセルである。例えば、少なくとも１つのセルグループにおいては、この少なくとも１つのセルグループにおけるＡセルを、ＢＦＲＱを送信するための一定のセルとして指示し、端末機器は、この少なくとも１つのセルグループのうちのいずれか一つのセル（以下、Ｂセルを例に説明する）にビーム障害イベントが発生したと決定すると、いずれも、このＡセルにおいて、このＢセルにビーム障害イベントが発生したＢＦＲＱを送信する。
【００６６】
３、この第２のセルは、この第４のネットワーク機器によりこの端末機器に対して配置された複数のセルのうち、この第４のネットワーク機器によりこの端末機器に対して指示された一つのセルである。具体的には、第４のネットワーク機器は、この端末機器に対して、ＢＦＲＱを送信するセル（例えば、ＲＲＣシグナリングを介して配置されてもよい）として複数のセルを配置しており、且つ、第２のセルを、ＢＦＲＱを優先的に送信するセルとして指示する（例えば、メディアアクセス制御−制御ユニットＭＡＣ−ＣＥコマンド又は下りリンク制御情報ＤＣＩによって指示されてもよい）。
【００６７】
４、この第２のセルは、この第４のネットワーク機器によりこの端末機器に対して配置された複数のセルのうち、この端末機器により決定されたセルである。具体的には、第４のネットワーク機器は、この端末機器に対して、ＢＦＲＱを送信するセルとして複数のセルを配置しており、端末機器は、この複数のセルの中から、第３の予め設定された規則に従ってどのセルを使用するかを決定する。第３の予め設定された規則は、１つのセルをランダムに選択する規則としてもよく、他の規則としてもよい。本発明の実施例では限定しない。
【００６８】
第４のネットワーク機器が、上記１〜４のうちのどの方式によってＢＦＲＱを送信するためのセル（第２のセルを含む）を配置するかにかかわらず、第２のセルにおいてＢＦＲＱを送信する総回数が予め設定された回数を超え、且つビーム障害回復（ｂｅａｍ  ｆａｉｌｕｒｅ  ｒｅｃｏｖｅｒｙ）にまだ成功していないと決定する場合、端末機器は、いずれも、今回のビーム障害回復に成功していないと決定し、且つ端末機器の物理層は、一つの指示情報を端末機器の上位層に送信し、上位層による後続の無線リンク障害や再確立の過程の実行に用いることができる。しかし、上記３又は４に対応する配置形態をとると、第４のネットワーク機器は、端末機器に対して、ＢＦＲＱを送信するためのセルを複数配置しており、端末機器は、ＢＦＲＱを送信するこの複数のセルの中から１つのセル（第２のセル以外の他のセル）を、ＢＦＲＱを送信するセルとして再決定し、このＢＦＲＱを再送信するか、又は、第４のネットワーク機器は、端末機器に対して、ＢＦＲＱを送信する複数のセルの中から１つのセル（第２のセル以外の他のセル）を、ＢＦＲＱを送信するセルとして改めて指示し、端末機器は、改めて指示されたセルにおいてこのＢＦＲＱを再送信することができる。
【００６９】
以上の複数の方式のうちの少なくとも１つの方式により第２のセルを決定できるので、柔軟性が比較的高く、且つ、第２のセルを決定した後、端末機器によるＢＦＲＱ送信速度をさらに高めることができる。それにより、通信効率や効能を向上させることができる。
【００７０】
それに応じて、第２のネットワーク機器は、第２のセルにおいてＢＦＲＱを端末機器から受信する。
【００７１】
本発明の実施例は、ビーム障害回復要求の伝送方法を提供する。端末機器は、第１のセルにビーム障害イベントが発生したと決定し、第２のセルにおいてＢＦＲＱを第２のネットワーク機器に送信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【００７２】
選択的に、このステップ２０２は、具体的には、以下のようなステップ２０２ａを含んでもよい。
【００７３】
ステップ２０２ａ：第３のネットワーク機器がこの第１のセルにおいてこの端末機器に対して候補ビームリファレンス信号を配置していないか、又はこの第３のネットワーク機器がこの第１のセルにおいてこの端末機器に対して、このＢＦＲＱを送信するための上りリンクチャネルリソースを配置していない場合、端末機器は、この第２のセルにおいてこのＢＦＲＱをこの第２のネットワーク機器に送信する。
【００７４】
この第３のネットワーク機器は、この端末機器にサービスを提供する。この第３のネットワーク機器は、上述した第１のネットワーク機器、第２のネットワーク機器又は第４のネットワーク機器と同じであってもよく、第１のネットワーク機器、第２のネットワーク機器及び第４のネットワーク機器のそれぞれと異なってもよい。具体的には、実際な状況に応じて設定してもよい。本発明の実施例ではそれについて限定しない。
【００７５】
このステップ２０２ａは、以下の３つのケースを少なくとも含むが、これらに限定されない。
【００７６】
第１のケース：第３のネットワーク機器がこの第１のセルにおいてこの端末機器に対して候補ビームリファレンス信号を配置していない場合、端末機器は、この第２のセルにおいてこのＢＦＲＱをこの第２のネットワーク機器に送信する。
【００７７】
第３のネットワーク機器がこの第１のセルにおいてこの端末機器に対して候補ビームリファレンス信号を配置していないと、候補ビームリファレンス信号のリソースのコストを減らすことができる。
【００７８】
第２のケース：第３のネットワーク機器がこの第１のセルにおいてこの端末機器に対して候補ビームリファレンス信号を配置しており、且つこの第１のセルにおいてこの端末機器に対して、このＢＦＲＱを送信するための上りリンクチャネルリソースを配置していない場合、端末機器は、この第２のセルにおいてこのＢＦＲＱをこの第２のネットワーク機器に送信することにより、上りリンクチャネルリソースのコストを減らすことができる。具体的には、端末機器は、測定候補ビームリファレンス信号に基づいて候補ビームを決定できるが、この候補ビームに関連する、このＢＦＲＱを送信するための上りリンクチャネルリソースを見つけることができない。したがって、このとき、端末機器は、候補ビームリファレンス信号を測定する必要がない。そのうち、候補ビームリファレンス信号を測定することにより候補ビームを決定する方法については、従来の関連技術を参照することができ、ここでは再度言及しない。
【００７９】
第３のケース：この第３のネットワーク機器がこの第１のセルにおいてこの端末機器に対して、このＢＦＲＱを送信するための上りリンクチャネルリソースを配置していない場合、端末機器は、この第２のセルにおいてこのＢＦＲＱをこの第２のネットワーク機器に送信することにより、上りリンクチャネルリソースのコストを減らすことができる。
【００８０】
それに応じて、第２のネットワーク機器は、第３のネットワーク機器がこの第１のセルにおいてこの端末機器に対して候補ビームリファレンス信号を配置していないか、又はこの第３のネットワーク機器がこの第１のセルにおいてこの端末機器に対して、このＢＦＲＱを送信するための上りリンクチャネルリソースを配置していない場合、この第２のセルにおいてこのＢＦＲＱをこの端末機器から受信する。
【００８１】
さらに、選択的に、このステップ２０２又はステップ２０２ａは、具体的には、以下のようなステップ２０２ｂを含んでもよい。
【００８２】
ステップ２０２ｂ、端末機器は、第１のキャリアを介して、この第２のセルにおいてこのＢＦＲＱをこの第２のネットワーク機器に送信する。
【００８３】
この第１のキャリアは、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、セミパーシステント−物理上りリンク共有チャネル（Ｓｅｍｉ  Ｐｅｒｓｉｓｔｅｎｔ  Ｐｈｙｓｉｃａｌ  Ｕｐｌｉｎｋ  Ｓｈａｒｅｄ  Ｃｈａｎｎｅｌ、ＳＰ−ＰＵＳＣＨ）、及びメディアアクセス制御−制御ユニット（Ｍｅｄｉａ  Ａｃｃｅｓｓ  Ｃｏｎｔｒｏｌ−Ｃｏｎｔｒｏｌ  Ｅｌｅｍｅｎｔ、ＭＡＣ−ＣＥ）コマンドのうちの少なくとも１つを含む。第１のキャリアは、他の実行可能なキャリアをさらに含んでもよい。本発明の実施例では限定しない。
【００８４】
例示的に、第１のキャリアがＰＲＡＣＨ、ＰＵＣＣＨ、ＳＰ−ＰＵＳＣＨ、及びＭＡＣ−ＣＥコマンドのうちの１つである場合、端末機器は、ＰＲＡＣＨ、ＰＵＣＣＨ、ＳＰ−ＰＵＳＣＨ又はＭＡＣ−ＣＥコマンドを介して、この第２のセルにおいてこのＢＦＲＱをこの第２のネットワーク機器に送信する。
【００８５】
例示的に、第１のキャリアがＰＲＡＣＨ、ＰＵＣＣＨ、ＳＰ−ＰＵＳＣＨ、及びＭＡＣ−ＣＥコマンドのうちの少なくとも２つであると、端末機器はＰＲＡＣＨ、ＰＵＣＣＨ、ＳＰ−ＰＵＳＣＨ、及びＭＡＣ−ＣＥコマンドのうちの少なくとも２つを介して、この第２のセルにおいてこのＢＦＲＱをこの第２のネットワーク機器に送信する。例えば、第１のキャリアがＰＲＡＣＨ、及びＭＡＣ−ＣＥコマンドである場合、端末機器は、ＰＲＡＣＨを介して、この第２のセルにおいてこのＢＦＲＱをこの第２のネットワーク機器に送信するとともに、ＭＡＣ−ＣＥコマンドを介してこの第２のセルにおいてこのＢＦＲＱをこの第２のネットワーク機器に送信する。このように類推すればよく、一つずつ列記しない。
【００８６】
第１のキャリアを介して、この第２のセルにおいてこのＢＦＲＱをこの第２のネットワーク機器に送信すると、ネットワーク機器へのＢＦＲＱの送信をさらに速めることができ、それにより通信効率及び効能を向上させることができる。
【００８７】
選択的に、この第１のキャリアは、通信プロトコルにより規定されたもの、又は第５のネットワーク機器によりこの端末機器に対して配置又はスケジューリングされたものであり、この第５のネットワーク機器は、この端末機器にサービスを提供する。
【００８８】
第５のネットワーク機器は、上述した第１のネットワーク機器、第２のネットワーク機器、第３のネットワーク機器又は第４のネットワーク機器と同じであってもよく、第１のネットワーク機器、第２のネットワーク機器、第３のネットワーク機器、及び第４のネットワーク機器のそれぞれと異なってもよい。具体的には、実際な状況に応じて設定してもよい。本発明の実施例ではそれについて限定しない。
【００８９】
具体的な説明は、上述した関連説明を参照すればよく、ここでは再度言及しない。
【００９０】
例示的に、ＰＲＡＣＨ及びＰＵＣＣＨは、第５のネットワーク機器によりこの端末機器に対して配置されたものであり、ＳＰ−ＰＵＳＣＨは、第５のネットワーク機器によりこの端末機器に対してスケジューリングされたものであり、ＭＡＣ−ＣＥコマンドは、通信プロトコルにより規定されたものである。
【００９１】
そのうち、第１のキャリアがＭＡＣ−ＣＥコマンドを含む場合、このＢＦＲＱを記憶するために、ＭＡＣ−ＣＥコマンドに複数のバイトを増加させてもよい。
【００９２】
以上の複数の方式のうちの少なくとも１つの方式により第１のキャリアを決定できるので、柔軟性が比較的高く、且つ、第１のキャリアを決定した後、端末機器によるＢＦＲＱ送信速度をさらに高めることができる。それにより、通信効率や効能を向上させることができる。
【００９３】
それに対応して、第２のネットワーク機器は、第１のキャリアを介して、この第２のセルにおいてこのＢＦＲＱをこの端末機器から受信する。
【００９４】
第５のネットワーク機器により端末機器に対して配置され、スケジューリングされ、及び通信プロトコルにより規定された、ＢＦＲＱを送信するためのキャリアが合計１種のみある場合、端末機器は、この１種のキャリアを介してこのＢＦＲＱを送信する。第５のネットワーク機器により端末機器に対して配置され、スケジューリングされ、及び通信プロトコルにより規定された、ＢＦＲＱを送信するためのキャリアが合計複数種類ある場合、端末機器は、ある規則に従って、この複数種のキャリアの中から、ＢＦＲＱを送信するためのキャリアを少なくとも１つ決定することができる。
【００９５】
選択的に、図３に示すように、このステップ２０２ｂの前に、以下のようなステップ２０３とステップ２０４をさらに含んでもよい。
【００９６】
２０３：端末機器は、第２のキャリアを指示するための第１の情報を取得する。
【００９７】
この第２のキャリアは、この端末機器によるこのＢＦＲＱの送信に用いられ、この第２のキャリアは、ＰＲＡＣＨ、ＰＵＣＣＨ、ＳＰ−ＰＵＳＣＨ、及びＭＡＣ−ＣＥコマンドのうちの少なくとも２つを含む。
【００９８】
端末機器は、ネットワーク機器の配置又は指示情報の中から第１の指示情報を取得してもよいし、端末機器の記憶ユニットから第１の指示情報を取得してもよいし、他の機器から第１の指示情報を取得してもよい。本発明の実施例では限定しない。
【００９９】
２０４：端末機器は、第１の予め設定された規則に従って、この第２のキャリアの中からこの第１のキャリアを決定する。
【０１００】
選択的に、上記第１の予め設定された規則は、この第２のキャリアのうちのいずれか一つのキャリア、この第２のキャリアのうち優先度が最も高いキャリア、この第２のキャリアのうち現在時刻から最初に開始送信時刻に達するキャリア、この第２のキャリアのうちのすべてのキャリア、のうちのいずれか１つである。
【０１０１】
この第２のキャリアがＰＲＡＣＨ、ＰＵＣＣＨ、ＳＰ−ＰＵＳＣＨ、及びＭＡＣ−ＣＥコマンドのうちのＮ個を含む場合、この第１の予め設定された規則は、この第２のキャリアのうちの任意のＭ個のキャリア、この第２のキャリアのうち優先度が最も高いＭ個のキャリア、この第２のキャリアのうち現在時刻から最初に開始送信時刻に達するＭ個のキャリアのうちのいずれか１つであってもよい。Ｎは２以上且つ４以下であり、Ｍは２以上且つ（Ｎ−１）以下である。
【０１０２】
このように、第２のキャリアの個数が２以上である場合、端末機器は、第１の予め設定された規則に従って、ＢＦＲＱを送信するための第１のキャリアを迅速に決定することができ、それにより、通信効率や効能を向上させることができる。
【０１０３】
選択的に、この第１の予め設定された規則は、通信プロトコルにより規定されたもの、又は第６のネットワーク機器によりこの端末機器に対して配置されたもの、又はこの端末機器により決定されたものであり、この第６のネットワーク機器は、この端末機器にサービスを提供する。
【０１０４】
第６のネットワーク機器は、上述した第１のネットワーク機器、第２のネットワーク機器、第３のネットワーク機器、第４のネットワーク機器又は第５のネットワーク機器と同じであってもよく、第１のネットワーク機器、第２のネットワーク機器、第３のネットワーク機器、第４のネットワーク機器、及び第５のネットワーク機器のそれぞれと異なってもよい。具体的には、実際な状況に応じて設定してもよい。本発明の実施例ではそれについて限定しない。
【０１０５】
具体的な説明は、上述した関連説明を参照すればよく、ここでは再度言及しない。
【０１０６】
以上の複数の方式のうちの少なくとも１つの方式により第１の予め設定された規則を決定できるので、柔軟性が比較的高く、且つ、第１の規則を決定した後、端末機器によるＢＦＲＱ送信速度をさらに高めることができる。それにより、通信効率や効能を向上させることができる。
【０１０７】
選択的に、この第１のキャリアがＰＵＣＣＨ又はＳＰ−ＰＵＳＣＨのうちの少なくとも１つを含む場合、このステップ２０２ｂは、具体的には、以下のようなステップ２０２ｂ１を含む。
【０１０８】
２０２ｂ１、ターゲットチャネルに第２の情報が含まれている場合、端末機器は、第２の予め設定された規則に従って、このターゲットチャネルを介して、この第２のセルにおいてこのＢＦＲＱをこの第２のネットワーク機器に送信し、このターゲットチャネルはＰＵＣＣＨ又はＳＰ−ＰＵＳＣＨである。
【０１０９】
選択的に、上記第２の予め設定された規則は、この第２の情報及びこのＢＦＲＱの優先度に従ってこのＢＦＲＱを送信すること、又はこの第２の情報及びこのＢＦＲＱを多重送信すること、又はこのＢＦＲＱを優先的に送信することである。
【０１１０】
この第２の予め設定された規則が、この第２の情報及びこのＢＦＲＱの優先度に従ってこのＢＦＲＱを送信することである場合、この第２の情報及びこのＢＦＲＱの優先度にしたがって、まず、優先度が高いものを送信し、次に優先度が低いものを送信する。例えば、第２の情報及びこのＢＦＲＱのうち第２の情報の優先度が高いと、まず、この第２の情報を送信し、次に、このＢＦＲＱを送信し、第２の情報及びこのＢＦＲＱのうちＢＦＲＱの優先度が高いと、まず、このＢＦＲＱを送信し、次に、この第２の情報を送信する。
【０１１１】
この第２の予め設定された規則が、この第２の情報及びこのＢＦＲＱを多重送信することである場合、この第２の情報及びこのＢＦＲＱを上りリンクチャネルリソースに多重化して一緒に送信する。
【０１１２】
この第２の予め設定された規則が、このＢＦＲＱを優先的に送信することである場合、ターゲットチャネルの送信時点に達するとき、このＢＦＲＱを優先的に送信する。
【０１１３】
このようにターゲットチャネルに第２の情報が含まれる場合、端末機器は、第２の予め設定された規則に従って、ＢＦＲＱをどのように送信するかを迅速に決定することができ、それにより、通信効率や効能を向上させることができる。
【０１１４】
選択的に、この第２の予め設定された規則は、通信プロトコルにより規定されたもの、又はこの第７のネットワーク機器によりこの端末機器に対して配置されたもの、又はこの端末機器により決定されたものであり、この第７のネットワーク機器は、この端末機器にサービスを提供する。
【０１１５】
上述した第１のネットワーク機器、第２のネットワーク機器、第３のネットワーク機器、第４のネットワーク機器、第５のネットワーク機器又は第６のネットワーク機器と同じであってもよく、第１のネットワーク機器、第２のネットワーク機器、第３のネットワーク機器、第４のネットワーク機器、第５のネットワーク機器、及び第６のネットワーク機器のそれぞれと異なってもよい。具体的には、実際な状況に応じて設定してもよい。本発明の実施例ではそれについて限定しない。
【０１１６】
具体的な説明は、上述した関連説明を参照すればよく、ここでは再度言及しない。
【０１１７】
以上の複数の方式のうちの少なくとも１つの方式により第２の予め設定された規則を決定できるので、柔軟性が比較的高く、且つ、第２の規則を決定した後、端末機器によるＢＦＲＱ送信速度をさらに高めることができる。それにより、通信効率や効能を向上させることができる。
【０１１８】
説明すべきなのは、ＲＲＣシグナリングを介して配置情報を送信する場合、上記第３のネットワーク機器、第４のネットワーク機器、第５のネットワーク機器、及び第６のネットワーク機器は、通常１つのセルグループにおけるプライマリセルにサービスを提供するネットワーク機器であり、且つこのネットワーク機器は、このプライマリセルにおいてこのＲＲＣシグナリングを送信することである。本発明の実施例では、上記第３のネットワーク機器、第４のネットワーク機器、第５のネットワーク機器、及び第６のネットワーク機器は、１つのセルグループにおけるいずれか１つのセルにサービスを提供するネットワーク機器であり、このネットワーク機器は、このいずれか１つのセルにおいてこのＲＲＣシグナリングを送信してもよい。
【０１１９】
説明すべきなのは、第２のネットワーク機器がこのＢＦＲＱを端末機器から受信した後、第２のネットワーク機器がこのＢＦＲＱを処理するネットワーク機器である場合、第２のネットワーク機器がこのＢＦＲＱを処理し、第２のネットワーク機器がこのＢＦＲＱを処理するネットワーク機器ではない場合、第２のネットワーク機器がこのＢＦＲＱを処理するネットワーク機器にこのＢＦＲＱを転送し、このＢＦＲＱを処理するネットワーク機器によってこのＢＦＲＱが処理されることである。具体的な転送過程については従来の関連技術を参照すればよく、ここでは再度言及しない。
【０１２０】
以下では、第８のネットワーク機器（第２のネットワーク機器であってもよく、第１のネットワーク機器であってもよく、他のネットワーク機器であってもよく、ここでは一つずつを列記しない）が、このＢＦＲＱを処理するネットワーク機器である場合を例に説明する。
【０１２１】
第８のネットワーク機器は、このＢＦＲＱを受信すると、端末機器による非周期なビームの測定と報告をトリガーする。
【０１２２】
そのうち、第８のネットワーク機器は、第３のセルにおいて上記トリガーシグナリングを送信し、第３のセルは、第２のセルであってもよく、第２のセル及び第１のセルを除くほかのセルであってもよい。本発明の実施例では限定しない。
【０１２３】
第３のセルに対する説明は、上述した第２のセルに対する関連説明を参照すればよく、ここでは再度言及しない。
【０１２４】
具体的には、第３のセルにおいてトリガーシグナリングをどのように送信するかは、従来の関連技術を参照すればよく、ここでは再度言及しない。
【０１２５】
例示的に、前記トリガーシグナリングは、下りリンク制御情報（Ｄｏｗｎｌｉｎｋ  Ｃｏｎｔｒｏｌ  Ｉｎｆｏｒｍａｔｉｏｎ、ＤＣＩ）により携帯されてもよい。端末機器が、ビームの非周期的な測定及び報告をトリガーするセルがビーム障害の発生した第１のセルであると決定するように、トリガーシグナリングには第１のセルの識別子が含まれてもよい。
【０１２６】
端末機器は、第８のネットワーク機器のトリガーシグナリングに従って、第８のネットワーク機器により配置されたリファレンス信号（ｒｅｆｅｒｅｎｃｅ  ｓｉｇｎａｌｓ、ＲＳ）リソースを測定することで、ビームの測定を実現し、測定結果に基づいて報告する。
【０１２７】
端末機器は、第１のセルにおいて、第８のネットワーク機器にビーム測定結果を報告することを優先的に選択する。具体的な報告過程については従来の関連技術を参照すればよい。第１のセル以外のほかのセルにおいてビーム測定結果を報告してもよく、具体的な報告過程については、上述したＢＦＲＱを送信する過程を参照すればよく、ここでは再度言及しない。
【０１２８】
第８のネットワーク機器は、端末機器によって報告されたビーム測定結果に基づいて、第１のセルにビーム障害回復処理を行う。具体的な処理方式は、以下の１と２のうちのいずれか１つを含んでもよい。
【０１２９】
１、この第１のセルを非アクティブ化（即ちリリース）し、この第１のセルを非アクティブ化することは、この第１のセルに対応する搬送波を非アクティブ化すると理解できる。
【０１３０】
２、この第１のセルを再配置し、例えばＣＯＲＥＳＥＴのＱＣＬ情報などを再配置する（即ち制御チャンネルのビーム情報を再配置する）。
【０１３１】
上記第８のネットワーク機器が第１のセルにビーム障害回復処理を行う過程は、従来の関連技術を参照すればよく、ここでは再度言及しない。
【０１３２】
選択的に、セルにおいてＤＣＩ  ｆｏｒｍａｔ  ０＿０を使用してスケジューリングされたＰＵＳＣＨについては、このＰＵＳＣＨの空間関係（ｓｐａｔｉａｌ  ｒｅｌａｔｉｏｎ）は、このセルにアクティブ化された上りリンクＢＷＰにおける特定のＰＵＣＣＨの空間関係を使用することである。前記特定のＰＵＣＣＨは、専用（ｄｅｄｉｃａｔｅｄ）ＰＵＣＣＨリソースにおける、特定のＩＤを有するＰＵＣＣＨ、例えばＩＤが最小となるＰＵＣＣＨである。
【０１３３】
選択的に、初期アクセス後、即ちＲＲＣ接続モード（ＲＲＣ  ｃｏｎｎｅｃｔｅｄ  ｍｏｄｅ）では、ユーザ機器ＵＥは、ネットワークが、周波数範囲２（Ｆｒｅｑｕｅｎｃｙ  ｒａｎｇｅ２、即ちミリ波周波数帯）における、ＰＵＣＣＨ＿ＳｐａｔｉａｌＲｅｌａｔｉｏｎＩｎｆｏのＰＵＣＣＨリソースが配置されていないＢＷＰにおいてＤＣＩ  ｆｏｒｍａｔ  ０＿０を用いてＰＵＳＣＨをスケジューリングすることは望ましくない。つまり、ネットワークがＢＷＰにおいてＤＣＩ  ｆｏｒｍａｔ  ０＿０を使用してＰＵＳＣＨをスケジューリングするときに、前記ＢＷＰが周波数範囲２（Ｆｒｅｑｕｅｎｃｙ  ｒａｎｇｅ２、即ちミリ波周波数帯）におけるＢＷＰである場合、前記ＢＷＰにはＰＵＣＣＨ＿ＳｐａｔｉａｌＲｅｌａｔｉｏｎＩｎｆｏのＰＵＣＣＨリソースが配置されているネットワークが存在する必要がある。
【０１３４】
選択的に、端末によりモニタリングされた複数の検索空間（Ｓｅａｒｃｈ  ｓｐａｃｅ、ＳＳ）が複数のＣＯＲＥＳＥＴに関連付けられている場合、ＳＳのｍｏｎｉｔｏｒｉｎｇ  ｏｃｃａｓｉｏｎがタイムドメインにおいて重なり、又は部分的に重なり、又は間隔が一定の時間未満であり（即ち、時間間隔が、異なるＣＯＲＥＳＥＴのｂｅａｍの切り替え時間未満である）、且つその中にはＴＣＩ  ｓｔａｔｅが配置され且つアクティブ化されたＣＯＲＥＳＥＴとＴＣＩ  ｓｔａｔｅが配置されていないＣＯＲＥＳＥＴ（ここでのＣＯＲＥＳＥＴは、ビーム障害回復過程におけるＣＯＲＥＳＥＴ−ＢＦＲを含まなくてもよい）とがあれば、前記の重なり時間（重なりが発生したＯＦＤＭ符号）において、端末は、ＴＣＩ  ｓｔａｔｅが配置され且つアクティブ化された前記のＣＯＲＥＳＥＴのＴＣＩ  ｓｔａｔｅを用いて、前記重なり時間でのすべてのＣＯＲＥＳＥＴにおけるＳＳをモニタリングする。
【０１３５】
１）、さらに、上述した、ＴＣＩ  ｓｔａｔｅが配置され且つアクティブ化されたＣＯＲＥＳＥＴのＴＣＩ  ｓｔａｔｅの使用については、このようなＣＯＲＥＳＥＴが複数ある場合、上述した、ＴＣＩ  ｓｔａｔｅが配置され且つアクティブ化されたＣＯＲＥＳＥＴのうち、特定のＣＯＲＥＳＥＴ  ＩＤを有するＣＯＲＥＳＥＴのＴＣＩ  ｓｔａｔｅを使用することにより、重なり時間におけるＣＯＲＥＳＥＴが同じ空間ＱＣＬ情報を有することを確保する。
【０１３６】
例１：特定のＣＯＲＥＳＥＴ  ＩＤは、セルにおける最小のＣＯＲＥＳＥＴ  ＩＤである。
【０１３７】
例２：ＣＡシナリオについては、異なるｃｅｌｌにおけるＣＯＲＥＳＥＴがタイムドメインにおいて重なり、又は部分的に重なり、又は間隔が一定の時間未満である場合、特定のセル（例えば、最小ｃｅｌｌ  ｉｎｄｅｘ）における特定のＣＯＲＥＳＥＴ  ＩＤのＣＯＲＥＳＥＴのＴＣＩ  ｓｔａｔｅを使用して、他のセルのＣＯＲＥＳＥＴをモニタリングする。
【０１３８】
さらに、ｃｅｌｌ  ｉｎｄｅｘ及び他のセルとは同一のｂａｎｄ内のものを指す。
【０１３９】
２）、さらに、異なるサブ搬送波間隔を有するｃｅｌｌにおけるＣＯＲＥＳＥＴに上記タイムドメイン重なりが発生し、上記ＣＡシナリオの方法が使用される。
【０１４０】
３）、さらに、異なるサブ搬送波間隔を有するｃｅｌｌにおいて、あるＣＯＲＥＳＥＴにおけるＰＤＣＣＨによりスケジューリングされたＰＤＳＣＨが、このＰＤＳＣＨをスケジューリングするＰＤＣＣＨが位置するＣＯＲＥＳＥＴと異なる他のＣＯＲＥＳＥＴと上記タイムドメイン重なりを発生すると、このとき、ＰＤＳＣＨのＴＣＩ  ｓｔａｔｅとしては、特定のセルにおける特定のＣＯＲＥＳＥＴ  ＩＤのＣＯＲＥＳＥＴのＴＣＩ  ｓｔａｔｅが使用される。
【０１４１】
４）、さらに、タイムドメイン重なりが発生したセルにおけるＣＯＲＥＳＥＴがＩｎｔｒａ−ｆｒｅｑｕｅｎｃｙに属するかＩｎｔｅｒ−ｆｒｅｑｕｅｎｃｙに属するかに応じて、上記方法を使用するか否かを決定する。例えば、タイムドメイン重なりの発生したＣＯＲＥＳＥＴがＩｎｔｒａ−ｆｒｅｑｕｅｎｃｙに属する場合、上記方法を使用する。タイムドメイン重なりの発生したＣＯＲＥＳＥＴがＩｎｔｅｒ−ｆｒｅｑｕｅｎｃｙに属する場合、上記方法を使用せず、このとき、各周波数帯域内のタイムドメイン重なりの発生したＣＯＲＥＳＥＴは、上記方法が使用される。
【０１４２】
本発明の実施例によるマルチ搬送波通信システムにおけるセカンダリセルビーム障害回復メカニズムでは、一方では、セカンダリセルにおいて候補ビームリファレンス信号を配置する必要がないので、候補ビームリファレンス信号の配置や伝送によるリソースのコストを減らすことができる。他方では、１つのセカンダリセル（例えば上述した第１のセル）にビーム障害イベントが発生した場合、端末機器がこのセル以外の他のセルにおいて、このセカンダリセルにビーム障害イベントが発生したことを指示するＢＦＲＱを送信できるため、ネットワーク機器がこのビーム障害イベントを知り、即時このセカンダリセルにビーム回復を行う（例えば、非周期的なビームの測定及び報告をトリガーし、ビーム障害の発生したこのセカンダリセルをリリース又は再配置する）ようにすることができる。このように、本発明の実施例によるビーム障害回復要求の伝送方法は、候補ビームリファレンス信号の配置や伝送によるリソースのコストを減らす上で、ビーム障害イベントの発生したセカンダリセルに対するビーム障害回復を迅速に実施できる。
【０１４３】
図４に示すように、本発明の実施例は端末機器３２０を提供する。この端末機器３２０は、決定モジュール３２１及び送信モジュール３２２を含み、そのうち、
決定モジュール３２１は、第１のネットワーク機器によりサービスが提供される第１のセルにビーム障害イベントが発生したことを決定するために用いられる。
送信モジュール３２２は、この第１のセルにビーム障害イベントが発生したことを指示するためのＢＦＲＱを第２のネットワーク機器に、この第２のネットワーク機器によりサービスが提供される第２のセルにおいて送信するために用いられる。
そのうち、この第２のセルとこの第１のセルとは異なり、この第１のネットワーク機器とこの第２のネットワーク機器は、ともにこの端末機器に対してサービスを提供する。
【０１４４】
選択的に、このＢＦＲＱにはこの第１のセルの識別子が含まれる。
【０１４５】
選択的に、この送信モジュール３２２は、具体的には、第３のネットワーク機器がこの第１のセルにおいてこの端末機器に対して候補ビームリファレンス信号を配置していないか、又はこの第３のネットワーク機器がこの第１のセルにおいてこの端末機器に対して、このＢＦＲＱを送信するための上りリンクチャネルリソースを配置していない場合、この第２のセルにおいてこのＢＦＲＱをこの第２のネットワーク機器に送信するために用いられ、この第３のネットワーク機器は、この端末機器にサービスを提供する。
【０１４６】
選択的に、この第２のセルは、この第２のネットワーク機器によりサービスが提供されるプライマリセル、又はこの第２のネットワーク機器によりサービスが提供されるセカンダリセルである。
【０１４７】
選択的に、この第２のセルは、この第２のセルのタイプが通信プロトコルにより規定されたものであること、この第２のセルがこの第４のネットワーク機器によりこの端末機器に対して配置されたものであること、及びこの第２のセルがこの端末機器により決定されたものであること、のうちの少なくとも１つによって決定され、この第４のネットワーク機器は、この端末機器にサービスを提供する。
【０１４８】
選択的に、この第２のセルは、この第４のネットワーク機器によりこの端末機器に対して配置された、この第１のセルと予め設定された関連関係を持っている一つのセルであり、又はこの第４のネットワーク機器によりこの端末機器に対して配置された一つのセルであり、又はこの第４のネットワーク機器によりこの端末機器に対して配置された複数のセルのうち、この第４のネットワーク機器によりこの端末機器に指示される一つのセルであり、又はこの第４のネットワーク機器によりこの端末機器に対して配置された複数のセルのうち、この端末機器により決定されたセルである。
【０１４９】
選択的に、この送信モジュール３２２は、具体的には、第１のキャリアを介して、この第２のセルにおいてこのＢＦＲＱをこの第２のネットワーク機器に送信するために用いられ、この第１のキャリアは、物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む。
【０１５０】
選択的に、この第１のキャリアは、通信プロトコルにより規定されたもの、又は第５のネットワーク機器によりこの端末機器に対して配置又はスケジューリングされたものであり、この第５のネットワーク機器は、この端末機器にサービスを提供する。
【０１５１】
選択的に、図４に示すように、この端末機器３２０は、取得モジュール３２３をさらに含み、そのうち、取得モジュール３２３は、第２のキャリアを指示するための第１の情報を取得するために用いられ、この第２のキャリアは、この端末機器によるこのＢＦＲＱの送信に用いられ、ＰＲＡＣＨ、ＰＵＣＣＨ、ＳＰ−ＰＵＳＣＨ、及びＭＡＣ−ＣＥコマンドのうちの少なくとも２つを含む。この決定モジュール３２１は、さらに、第１の予め設定された規則に従って、この取得モジュール３２３により取得されたこの第２のキャリアの中からこの第１のキャリアを決定するために用いられる。そのうち、この第１の予め設定された規則は、この第２のキャリアのうちのいずれか一つのキャリア、この第２のキャリアのうち優先度が最も高いキャリア、この第２のキャリアのうち現在時刻から最初に開始送信時刻に達するキャリア、この第２のキャリアのうちのすべてのキャリア、のうちのいずれか１つである。
【０１５２】
選択的に、この第１の予め設定された規則は、通信プロトコルにより規定されたもの、又は第６のネットワーク機器によりこの端末機器に対して配置されたもの、又はこの端末機器により決定されたものであり、この第６のネットワーク機器は、この端末機器にサービスを提供する。
【０１５３】
選択的に、この第１のキャリアがＰＵＣＣＨ又はＳＰ−ＰＵＳＣＨのうちの少なくとも１つを含む場合、この送信モジュール３２２は、具体的には、ターゲットチャネルに第２の情報が含まれている場合、第２の予め設定された規則に従って、このターゲットチャネルを介して、この第２のセルにおいてこのＢＦＲＱをこの第２のネットワーク機器に送信するために用いられ、このターゲットチャネルはＰＵＣＣＨ又はＳＰ−ＰＵＳＣＨである。そのうち、この第２の予め設定された規則は、この第２の情報及びこのＢＦＲＱの優先度に従ってこのＢＦＲＱを送信すること、又はこの第２の情報及びこのＢＦＲＱを多重送信すること、又はこのＢＦＲＱを優先的に送信することである。
【０１５４】
選択的に、この第２の予め設定された規則は、通信プロトコルにより規定されたもの、又はこの第７のネットワーク機器によりこの端末機器に対して配置されたもの、又はこの端末機器により決定されたものであり、この第７のネットワーク機器は、この端末機器にサービスを提供する。
【０１５５】
本発明の実施例による端末機器は、上記実施例に示される各過程を実現できる。重複しないように、ここでは再度言及しない。
【０１５６】
本発明の実施例による端末機器によると、端末機器は、第１のセルにビーム障害イベントが発生したと決定し、第２のセルにおいてＢＦＲＱを第２のネットワーク機器に送信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【０１５７】
図５は、本発明の各実施例を実現する端末機器のハードウェアの構造模式図である。この端末機器３００は、無線周波数ユニット３０１、ネットワークモジュール３０２、オーディオ出力ユニット３０３、入力ユニット３０４、センサ３０５、表示ユニット３０６、ユーザ入力ユニット３０７、インターフェースユニット３０８、メモリ３０９、プロセッサ３１０、及び電源３１１などの部品を含むが、これらに限定されない。当業者が理解できるように、図５に示す端末機器３００の構造は、端末機器を限定するものではなく、端末機器３００は、図示よりも多く又は少ない部品、なんらかの部品の組み合わせ、又は異なる部品の配置を含んでもよい。本発明の実施例において、端末機器３００は、携帯電話、タブレットコンピュータ、ノートパソコン、ハンドヘルドコンピュータ、車載端末機器、ウェアラブル機器、歩数計等を含むが、これらに限定されるものではない。
【０１５８】
そのうち、プロセッサ３１０は、第１のネットワーク機器によりサービスが提供される第１のセルにビーム障害イベントが発生したことを決定するために用いられる。無線周波数ユニット３０１は、この第１のセルにビーム障害イベントが発生したことを指示するためのＢＦＲＱを第２のネットワーク機器に、この第２のネットワーク機器によりサービスが提供される第２のセルにおいて送信するために用いられる。そのうち、この第２のセルとこの第１のセルとは異なり、この第１のネットワーク機器とこの第２のネットワーク機器は、ともにこの端末機器に対してサービスを提供する。
【０１５９】
本発明の実施例による端末機器は、第１のセルにビーム障害イベントが発生したと決定し、第２のセルにおいてＢＦＲＱを第２のネットワーク機器に送信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【０１６０】
理解すべきなのは、本発明の実施例では、無線周波数ユニット３０１は、情報の送受信又は通話中の信号の送受信に用いられてもよいことである。具体的には、基地局からの下りリンクデータを受信すると、プロセッサ３１０に処理させてもよい。また、上りリンクデータを基地局に送信してもよい。通常、無線周波数ユニット３０１は、アンテナ、少なくとも１つの増幅器、送受信機、カプラー、低雑音増幅器、デュープレクサ等を含むが、これらに限定されない。さらに、無線周波数ユニット３０１はまた、無線通信システムを介してネットワークや他の機器と通信してもよい。
【０１６１】
端末機器３００は、ネットワークモジュール３０２を介してユーザに無線広帯域インターネットアクセスを提供し、例えば、ユーザへ、電子メールの送受信、ウェブページの閲覧、及びストリーミングメディアへのアクセスなどを支援する。
【０１６２】
オーディオ出力ユニット３０３は、無線周波数ユニット３０１やネットワークモジュール３０２によって受信されたオーディオデータや、メモリ３０９に記憶されたオーディオデータをオーディオ信号に変換して音声として出力することができる。また、オーディオ出力ユニット３０３は、端末機器３００が実行する特定の機能に関するオーディオ出力（例えば、呼び信号受信音、メッセージ着信音など）を提供することもできる。オーディオ出力ユニット３０３は、スピーカ、ブザーや受話器等を含む。
【０１６３】
入力ユニット３０４は、オーディオ信号又はビデオ信号を受信するために用いられる。入力ユニット３０４は、グラフィックプロセッサ（Ｇｒａｐｈｉｃｓ  Ｐｒｏｃｅｓｓｉｎｇ  Ｕｎｉｔ、ＧＰＵ）３０４１及びマイクロフォン３０４２を含んでもよい。グラフィックプロセッサ３０４１は、ビデオキャプチャモード又は画像キャプチャモードにおいて画像キャプチャ装置（例えばカメラ）によって取得された静止画像又はビデオの画像データを処理する。処理された画像フレームは、表示ユニット３０６に表示されてもよい。グラフィックプロセッサ３０４１によって処理された画像フレームは、メモリ３０９（又は他の記憶媒体）に記憶されてもよく、無線周波数ユニット３０１又はネットワークモジュール３０２を介して送信されてもよい。マイクロフォン３０４２は、音声を受信することができ、そのような音声をオーディオデータとして処理することができる。処理されたオーディオデータは、通話モードの場合、無線周波数ユニット３０１を介して移動通信基地局に送信可能なフォーマットに変換して出力することができる。
【０１６４】
端末機器３００はまた、少なくとも１つのセンサ３０５、例えば光センサ、運動センサ、及び他のセンサを含む。具体的には、光センサは、周囲光の明暗に応じて表示パネル３０６１の明るさを調整することができる周囲光センサと、端末機器３００が耳の側に移動したときに表示パネル３０６１及び／又はバックライトをオフにすることができる近接センサとを含む。動きセンサの一種として、加速度計センサは、各方向（一般的には３軸であり）での加速度の大きさを検出し、静止時に重力の大きさと方向を検出することができる。端末機器の姿勢（例えば、縦横スクリーンの切り替え、関連ゲーム、磁力計の姿勢校正）の識別、振動識別関連機能（例えば、歩数計、タップ）などに用いられてもよい。センサ３０５は、さらに指紋センサ、圧力センサ、虹彩センサ、分子センサ、ジャイロ、気圧計、湿度計、温度計、赤外線センサなどを含んでもよい。ここでは再度言及しない。
【０１６５】
表示ユニット３０６は、ユーザによって入力された情報又はユーザに提供された情報を表示するためのものである。表示ユニット３０６は、表示パネル３０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル３０６１を配置してもよい。
【０１６６】
ユーザ入力ユニット３０７は、入力された数字又は文字情報の受信、端末機器３００のユーザによる設置及び機能制御に関連するキー信号入力の生成に用いられてもよい。具体的には、ユーザ入力ユニット３０７は、タッチパネル３０７１及びその他の入力機器３０７２を含む。タッチパネル３０７１は、タッチスクリーンとも呼ばれ、その上又はその近傍でのユーザによるタッチ操作（例えば、ユーザが指、タッチペンなどの任意の適切な物体または付属品を使用してタッチパネル３０７１上又はタッチパネル３０７１の近傍で行う操作）を収集することができる。タッチパネル３０７１は、タッチ検出装置及びタッチコントローラの２つの部分を含んでもよい。そのうち、タッチ検出装置は、ユーザによるタッチ方位を検出し、タッチ操作による信号を検出し、信号をタッチコントローラに送信する。タッチコントローラは、タッチ検出装置からタッチ情報を受信し、それをタッチポイント座標に変換してプロセッサ３１０に送り、プロセッサ３１０から送信されてきたコマンドを受信して実行する。さらに、タッチパネル３０７１は、抵抗式、静電容量式、赤外線及び表面音波等の様々なタイプを用いて実現することができる。ユーザ入力ユニット３０７は、タッチパネル３０７１に加えて、他の入力機器３０７２を含んでもよい。具体的には、他の入力機器３０７２は、物理的なキーボード、機能キー（例えば、ボリュームコントロールキー、スイッチキーなど）、トラックボール、マウス、ジョイスティックを含んでもよいが、これらに限定されるものではない。ここでは再度言及しない。
【０１６７】
さらに、タッチパネル３０７１は、ディスプレイパネル３０６１上に覆われてもよい。タッチパネル３０７１は、その上又はその近傍でのタッチ操作を検出すると、プロセッサ３１０に送信してタッチイベントのタイプを決定する。その後、プロセッサ３１０は、タッチイベントのタイプに応じてディスプレイパネル３０６１上に相応な視覚出力を提供する。図５においては、タッチパネル３０７１と表示パネル３０６１とは、２つの独立した部品として端末機器３００の入出力機能を実現するものであるが、なんらかの実施例においては、タッチパネル３０７１と表示パネル３０６１とを集積して、端末機器３００の入出力機能を実現してもよい。ここでは限定しない。
【０１６８】
インターフェースユニット３０８は、外部装置と端末機器３００とを接続するためのインターフェースである。例えば、外部装置は、有線又は無線ヘッドセットポート、外部電源（又は充電器）ポート、有線又は無線データポート、メモリカードポート、識別モジュールを有する装置を接続するためのポート、オーディオ入力／出力（Ｉ／Ｏ）ポート、ビデオＩ／Ｏポート、イヤホンなどを含んでもよい。インターフェースユニット３０８は、外部装置からの入力（例えば、データ情報、電力など）を受信し、受信した入力を端末機器３００内の１つ又は複数の素子に送信するために用いられてもよく、又は、端末機器３００と外部装置との間でデータを送信するために用いられてもよい。
【０１６９】
メモリ３０９は、ソフトウェアプログラム及び各データを記憶するために用いられてもよい。メモリ３０９は、主に、オペレーティングシステム、少なくとも１つの機能に必要なアプリケーションプログラム（例えば、オーディオ再生機能、画像再生機能など）などを記憶することが可能なプログラム記憶領域と、携帯電話の使用に基づいて作成されたデータ（例えばオーディオデータ、電話帳）などを記憶することが可能なデータ記憶領域を含んでもよい。さらに、メモリ３０９は、高速ランダムアクセスメモリを含んでもよく、不揮発性メモリ、例えば少なくとも１つの磁気ディスクメモリデバイス、フラッシュメモリデバイス、又は他の揮発性ソリッドステートメモリデバイスを含んでもよい。
【０１７０】
プロセッサ３１０は、端末機器３００の制御センタであり、各種のインターフェース及び回線によって端末機器３００全体の各部分を接続し、メモリ３０９内に記憶されたソフトウェアプログラム及び／又はモジュールを運転又は実行すること、及びメモリ３０９内に記憶されたデータを呼び出し、端末機器３００の各種機能を実行し、データを処理することにより、端末機器３００全体をモニタリングする。プロセッサ３１０は、１つまたは複数の処理ユニットを含んでもよい、選択的に、プロセッサ３１０は、アプリケーションプロセッサとモデムプロセッサを集積してもよい。そのうち、アプリケーションプロセッサは、主にオペレーティングシステム、ユーザインターフェース、及びアプリケーションプログラムなどを処理するためのものであり、モデムプロセッサは、主に無線通信を処理するためのものである。理解すべきなのは、上述した変復調プロセッサが、プロセッサ３１０に集積されなくてもよいことである。
【０１７１】
端末機器３００はまた、様々な部品に電力を供給する電源３１１（例えばバッテリ）を含んでもよい。選択的に、電源３１１は、電源管理システムを介してプロセッサ３１０に論理的に接続されてもよい。それにより、電源管理システムによって充放電管理、及び電力消費管理などの機能を実現することができる。
【０１７２】
また、端末機器３００は、いくつかの示されていない機能モジュールを含む。ここでは再度言及しない。
【０１７３】
図６は、本発明の実施例を実現するネットワーク機器のハードウェアの構造模式図であり、このネットワーク機器４００は第２のネットワーク機器であり、このネットワーク機器４００は、受信モジュール４０１を含む。
受信モジュール４０１は、第２のネットワーク機器によりサービスが提供される第２のセルにおいて、第１のネットワーク機器によりサービスが提供される第１のセルにビーム障害イベントが発生したことを指示するためのＢＦＲＱを端末機器から受信するために用いられ、第２のセルと第１のセルとは異なる。
【０１７４】
選択的に、上述したＢＦＲＱには、第１のセルの識別子が含まれる。
【０１７５】
選択的に、上述した受信モジュール４０１は、具体的には、第３のネットワーク機器が第１のセルにおいて端末機器に対して候補ビームリファレンス信号を配置していないか、又は第１のセルにおいて端末機器に対してＢＦＲＱを送信するための上りリンクチャネルリソースを配置していない場合、第２のセルにおいてＢＦＲＱを端末機器から受信するために用いられる。
【０１７６】
選択的に、上述した第２のセルは、第２のネットワーク機器によりサービスが提供されるプライマリセル、又は上述した第２のネットワーク機器によりサービスが提供されるセカンダリセルである。
【０１７７】
選択的に、上述したこの第２のセルは、この第２のセルのタイプが通信プロトコルにより規定されたものであること、この第２のセルがこの第４のネットワーク機器によりこの端末機器に対して配置されたものであること、及びこの第２のセルがこの端末機器により決定されたものであること、のうちの少なくとも１つによって決定される。
【０１７８】
選択的に、上述した第２のセルは、第４のネットワーク機器により端末機器に対して配置された、第１のセルと予め設定された関連関係を持っている一つのセルであり、又は第４のネットワーク機器により端末機器に対して配置された一つのセルであり、又は第４のネットワーク機器により端末機器に対して配置された複数のセルのうち、第４のネットワーク機器により端末機器に対して指示された一つのセルであり、又は第４のネットワーク機器により端末機器に対して配置された複数のセルのうち、端末機器により決定されたセルである。
【０１７９】
選択的に、上述した受信モジュール４０１は、具体的には、ＰＲＡＣＨ、ＰＵＣＣＨ、ＳＰ−ＰＵＳＣＨ、及びＭＡＣ−ＣＥコマンドのうちの少なくとも１つを含む第１のキャリアを介して、第２のセルにおいてＢＦＲＱを端末機器から受信するために用いられる。
【０１８０】
選択的に、上述した第１のキャリアは、通信プロトコルにより規定されたもの、又は第５のネットワーク機器により端末機器に対して配置又はスケジューリングされたものである。
【０１８１】
本発明の実施例によるネットワーク機器は、上述した第２のネットワーク機器であってもよく、上記方法の実施例に示す各過程を実現することができる。重複しないように、ここでは再度言及しない。
【０１８２】
本発明の実施例によるネットワーク機器によると、ネットワーク機器が、端末機器により第２のセルにおいてこのネットワーク機器に送信されるＢＦＲＱを受信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【０１８３】
図７は、本発明の実施例を実現するネットワーク機器のハードウェアの構造模式図である。このネットワーク機器５００は第２のネットワーク機器であり、このネットワーク機器５００は、プロセッサ５０１、送受信機５０２、メモリ５０３、ユーザインターフェース５０４、及びバスインターフェースを含む。
【０１８４】
そのうち、送受信機５０２は、第２のネットワーク機器によりサービスが提供される第２のセルにおいて第１のネットワーク機器によりサービスが提供される第１のセルにビーム障害イベントが発生したことを指示するためのＢＦＲＱを端末機器から受信するために用いられ、そのうち、第２のセルと第１のセルとは異なる。
【０１８５】
本発明の実施例によるネットワーク機器によると、ネットワーク機器が、端末機器により第２のセルにおいてこのネットワーク機器に送信されるＢＦＲＱを受信することによって、この第１のセルのビーム障害イベントを処理するネットワーク機器（第１のネットワーク機器、第２のネットワーク機器又は他のネットワーク機器であってもよい）へ、このＢＦＲＱに基づきこの第１のセルのビーム障害回復過程をトリガーすることを通知することができる。この形態によれば、第１のセルにビーム障害イベントが発生した場合、第１のセルと異なる第２のセルにおいてＢＦＲＱをネットワーク機器に送信することを実現することができる。それによって、セカンダリセルにビーム障害イベントが発生した場合、端末機器が、ビーム障害回復要求をネットワーク機器に送信できないことになるという従来技術の問題を解決することができる。
【０１８６】
本発明の実施例では、図７において、バスアーキテクチャは、任意の数の相互接続バス及びブリッジを含んでもよい。具体的には、プロセッサ５０１によって代表される１つ又は複数のプロセッサ及びメモリ５０３によって代表されるメモリの様々な回路によってリンクされる。バスアーキテクチャはまた、周辺機器、電圧調整器、及びパワー管理回路などの他の様々な回路をリンクすることができ、これらはすべて当技術分野でよく知られているので、本明細書ではこれ以上説明しない。バスインターフェースは、インターフェースを提供する。送受信機５０２は、複数の素子であってもよく、即ち、送信機と受信機を含み、伝送媒体で各種の他の装置と通信するためのユニットを提供してもよい。異なるユーザ機器について、ユーザインターフェース５０４は、必要な機器に外接や内接することができるインターフェースであってもよい。接続された機器は、キーパッド、ディスプレイ、スピーカ、マイクロフォン、ジョイスティックなどを含むが、それらに限らない。プロセッサ５０１は、バスアーキテクチャと一般的な処理の管理を担当し、メモリ５０３は、プロセッサ５０１の操作実行時に使用されるデータを記憶してもよい。
【０１８７】
さらに、ネットワーク機器５００は、いくつかの図示しない機能モジュールをさらに含み、ここでは再度説明しない。
【０１８８】
選択的に、本発明の実施例は、端末機器をさらに提供する。この端末機器は、プロセッサ、メモリ、メモリに記憶されており、プロセッサ上で運行できるコンピュータプログラムを含み、このコンピュータプログラムがプロセッサによって実行されるとき、上記実施例におけるビーム障害回復要求伝送方法の過程を実現し、同じ技術的効果を達成することができる。重複しないように、ここでは再度言及しない。
【０１８９】
選択的に、本発明の実施例は、ネットワーク機器をさらに提供する。このネットワーク機器は、第２のネットワーク機器であり、プロセッサ、メモリ、メモリに記憶されており、且つプロセッサ上で運行できるコンピュータプログラムを含み、このコンピュータプログラムがプロセッサによって実行されるとき、上述した実施例におけるビーム障害回復要求伝送方法の過程を実現し、同じ技術的効果を達成することができる。重複しないように、ここでは再度言及しない。
【０１９０】
本発明の実施例は、コンピュータ可読記憶媒体をさらに提供する。コンピュータ可読記憶媒体にはコンピュータプログラムが記憶されており、このコンピュータプログラムがプロセッサによって実行されるとき、上述した実施例におけるビーム障害回復要求伝送方法の複数の過程を実現し、同じ技術的効果を達成することができる。重複しないように、ここでは再度言及しない。そのうち、コンピュータ可読記憶媒体は、例えば、リードオンリーメモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたは光ディスクなどである。
【０１９１】
説明すべきなのは、本明細書では、用語「含む」、「含み」、又はそれらの他の任意の変形は、非排他的な「含む」をカバーすることを意図していることである。したがって、一連の要素を含む過程、方法、物品、又は装置は、それらの要素だけでなく、明示的にリストされていない他の要素も含むか、又はそのような過程、方法、物品、又は装置に固有の要素も含む。これ以上の制限がない場合、「・・・を１つ含む」という文章で限定された要素は、当該要素を含む過程、方法、物品又は装置に別の同一の要素が存在することが排除されていない。
【０１９２】
以上の実施の形態の記述によって、当業者であればはっきりと分かるように、上記実施例の方法は、ソフトウェアと必要な汎用ハードウェアプラットフォームの形態によって実現されてもよい。無論、ハードウェアによっても実現されるが、多くの場合、前者は好適な実施の形態である。このような理解を踏まえて、本出願の技術案は、実質にはまたは従来技術に寄与する部分がソフトウェア製品の形式によって表われてもよい。このコンピュータソフトウェア製品は、一つの記憶媒体（例えば、ＲＯＭ／ＲＡＭ、磁気ディスク、光ディスク）に記憶され、一台の端末機器（携帯電話、コンピュータ、サーバ、エアコン、またはネットワーク機器などであってもよい）に本出願の各実施例に記載の方法を実行させるための若干の指令を含む。
【０１９３】
以上は、添付図面を結び付けながら、本出願の実施例を記述したが、本出願は、上述した具体的な実施の形態に限らず、上述した具体的な実施の形態は例示的なものに過ぎず、制限性のあるものではない。当業者は、本出願の示唆で、本出願の趣旨と請求項が保護する範囲を逸脱しない場合に、多くの形式の変更を行うことができ、それらは、いずれも本出願の請求範囲に入っている。
【図１】
2022501944.tif 000003
【図２】
2022501944.tif 000004
【図３】
2022501944.tif 000005
【図４】
2022501944.tif 000006
【図５】
2022501944.tif 000007
【図６】
2022501944.tif 000008
【図７】
2022501944.tif 000009
【手続補正書】
【提出日】令和3年5月11日(2021.5.11)
【手続補正１】
【補正対象書類名】明細書
【補正対象項目名】０００３
【補正方法】変更
【補正の内容】
【０００３】
通常、ビーム障害回復の一般的な過程は以下のとおりである。端末機器は、ビーム障害イベント（ｂｅａｍ  ｆａｉｌｕｒｅ  ｅｖｅｎｔ）が発生しており且つビーム障害回復要求のトリガー条件が満たされると決定した場合、決定した候補ビーム（ｃａｎｄｉｄａｔｅ  ｂｅａｍ）に関連するＰＲＡＣＨリソースでビーム障害回復要求（ｂｅａｍ  ｆａｉｌｕｒｅ  ｒｅｃｏｖｅｒｙ  ｒｅｑｕｅｓｔ、ＢＦＲＱ）をネットワーク機器に送信してもよい。ネットワーク機器は、このビーム障害回復要求を受信すると、応答指令（ビーム障害回復を行うように端末機器に指示する）を端末機器に送信してもよい。端末機器は、この応答指令を受信すると、この応答指令に応じてビーム障害回復を行ってもよい。
【手続補正２】
【補正対象書類名】明細書
【補正対象項目名】００１６
【補正方法】変更
【補正の内容】
【００１６】
以下は、本発明の実施例における添付図面を結び付けながら、本発明の実施例における技術案を明瞭且つ完全に記述する。明らかに、記述された実施例は、本出願の一部の実施例であり、全部の実施例ではない。本出願における実施例に基づき、当業者が創造的な労力を払わない前提で得られたすべての他の実施例は、いずれも本出願の保護範囲に属する。
【手続補正３】
【補正対象書類名】明細書
【補正対象項目名】００５０
【補正方法】変更
【補正の内容】
【００５０】
具体的には、第２のセルと第１のセルとは同一のセルグループにおけるセルであり、第１のセルは、当該セルグループのセカンダリセルであり、第２のセルは、当該セルグループにおけるプライマリセル又は第１のセルと異なるセカンダリセルであり、第２のセルと第１のセルとは異なるセルグループにおけるセルであり、第１のセルは、第１のセルグループにおけるセカンダリセルであり、第２のセルは、第２のセルグループにおけるプライマリセル又はセカンダリセルであり、第１のセルグループと第２のセルグループとは異なる（例えば二重接続シナリオでは、第１のセルグループは、マスターセルグループであり、第１のセルは、マスターセルグループにおけるセカンダリセルであり、第２のセルグループは、プライマリセカンダリセルグループであり、第２のセルは、プライマリセカンダリセルグループにおけるプライマリセカンダリセル又はセカンダリセルであるか、又は第１のセルグループは、プライマリセカンダリセルグループであり、第１のセルは、プライマリセカンダリセルグループにおけるセカンダリセルであり、第２のセルグループは、マスターセルグループであり、第２のセルは、マスターセルグループにおけるプライマリセル又はセカンダリセルである）。
【手続補正４】
【補正対象書類名】明細書
【補正対象項目名】００９８
【補正方法】変更
【補正の内容】
【００９８】
端末機器は、ネットワーク機器の配置又は指示情報の中から第１の情報を取得してもよいし、端末機器の記憶ユニットから第１の情報を取得してもよいし、他の機器から第１の情報を取得してもよい。本発明の実施例では限定しない。
【手続補正５】
【補正対象書類名】特許請求の範囲
【補正対象項目名】全文
【補正方法】変更
【補正の内容】
【特許請求の範囲】
【請求項１】
ビーム障害回復要求の伝送方法であって、端末機器に用いられ、
第１のネットワーク機器によりサービスが提供される第１のセルにビーム障害イベントが発生したことを決定することと、
前記第１のセルにビーム障害イベントが発生したことを指示するためのビーム障害回復要求ＢＦＲＱを第２のネットワーク機器に、前記第２のネットワーク機器によりサービスが提供される第２のセルにおいて送信することとを含み、
そのうち、前記第２のセルと前記第１のセルとは異なる、ことを特徴とするビーム障害回復要求の伝送方法。
【請求項２】
前記ビーム障害回復要求ＢＦＲＱには、前記第１のセルの識別子が含まれる、ことを特徴とする請求項１に記載のビーム障害回復要求の伝送方法。
【請求項３】
第２のセルにおいてビーム障害回復要求ＢＦＲＱを第２のネットワーク機器に送信することは、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記第２のネットワーク機器に送信することを含む、ことを特徴とする請求項１に記載のビーム障害回復要求の伝送方法。
【請求項４】
前記第２のセルは、前記第２のネットワーク機器によりサービスが提供されるプライマリセル、又は前記第２のネットワーク機器によりサービスが提供されるセカンダリセルである、ことを特徴とする請求項１に記載のビーム障害回復要求の伝送方法。
【請求項５】
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項１〜４のいずれか１項に記載のビーム障害回復要求の伝送方法。
【請求項６】
前記第２のセルは、前記第４のネットワーク機器により前記端末機器に対して配置された、前記第１のセルと予め設定される関連関係を持っている一つのセルであり、又は前記第４のネットワーク機器により前記端末機器に対して配置された一つのセルであり、又は前記第４のネットワーク機器により前記端末機器に対して配置された複数のセルのうち、前記第４のネットワーク機器によって前記端末機器に対して指示された一つのセルであり、又は前記第４のネットワーク機器により前記端末機器に対して配置された複数のセルのうち、前記端末機器により決定されたセルである、ことを特徴とする請求項５に記載のビーム障害回復要求の伝送方法。
【請求項７】
第２のセルにおいてビーム障害回復要求ＢＦＲＱを第２のネットワーク機器に送信することは、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記第２のネットワーク機器に送信することを含む、ことを特徴とする請求項１に記載のビーム障害回復要求の伝送方法。
【請求項８】
前記第１のキャリアが物理上りリンク制御チャネルＰＵＣＣＨ又はセミパーシステント−物理上りリンク共有チャネルＳＰ−ＰＵＳＣＨのうちの少なくとも１つを含む場合、第１のキャリアを介して、前記第２のセルにおいて前記ビーム障害回復要求ＢＦＲＱを前記第２のネットワーク機器に送信することは、
ターゲットチャネルには第２の情報が含まれている場合、第２の予め設定された規則に従って、物理上りリンク制御チャネルＰＵＣＣＨ又はセミパーシステント−物理上りリンク共有チャネルＳＰ−ＰＵＳＣＨである前記ターゲットチャネルを介して、前記第２のセルにおいて前記ビーム障害回復要求ＢＦＲＱを前記第２のネットワーク機器に送信することを含み、
そのうち、前記第２の予め設定された規則は、前記第２の情報及び前記ビーム障害回復要求ＢＦＲＱの優先度に従って前記ビーム障害回復要求ＢＦＲＱを送信すること、又は前記第２の情報及び前記ビーム障害回復要求ＢＦＲＱを多重送信すること、又は前記ビーム障害回復要求ＢＦＲＱを優先的に送信することである、ことを特徴とする請求項７に記載のビーム障害回復要求の伝送方法。
【請求項９】
ビーム障害回復要求の伝送方法であって、第２のネットワーク機器に用いられ、
前記第２のネットワーク機器によりサービスが提供される第２のセルにおいて、第１のネットワーク機器によりサービスが提供される第１のセルにビーム障害イベントが発生したことを指示するためのビーム障害回復要求ＢＦＲＱを端末機器から受信することを含み、
そのうち、前記第２のセルと前記第１のセルとは異なる、ことを特徴とするビーム障害回復要求の伝送方法。
【請求項１０】
前記ビーム障害回復要求ＢＦＲＱには、前記第１のセルの識別子が含まれる、ことを特徴とする請求項９に記載のビーム障害回復要求の伝送方法。
【請求項１１】
第２のセルにおいてビーム障害回復要求ＢＦＲＱを端末機器から受信することは、
第３のネットワーク機器が前記第１のセルにおいて前記端末機器に対して候補ビームリファレンス信号を配置していないか、又は前記第３のネットワーク機器が前記第１のセルにおいて前記端末機器に対して前記ビーム障害回復要求ＢＦＲＱを送信するための上りリンクチャネルリソースを配置していない場合、前記第２のセルにおいて前記ビーム障害回復要求ＢＦＲＱを前記端末機器から受信することを含む、ことを特徴とする請求項９に記載のビーム障害回復要求の伝送方法。
【請求項１２】
前記第２のセルは、前記第２のネットワーク機器によりサービスが提供されるプライマリセル、又は前記第２のネットワーク機器によりサービスが提供されるセカンダリセルであり、及び／又は、
前記第２のセルは、前記第２のセルのタイプが通信プロトコルにより規定されたものであること、前記第２のセルが第４のネットワーク機器により前記端末機器に対して配置されたものであること、及び前記第２のセルが前記端末機器によって決定されたものであること、のうちの少なくとも１つによって決定される、ことを特徴とする請求項９に記載のビーム障害回復要求の伝送方法。
【請求項１３】
第２のセルにおいてビーム障害回復要求ＢＦＲＱを端末機器から受信することは、
物理ランダムアクセスチャネルＰＲＡＣＨ、物理上りリンク制御チャネルＰＵＣＣＨ、セミパーシステント−物理上りリンク共有チャネルＳＰ−ＰＵＳＣＨ、及びメディアアクセス制御−制御ユニットＭＡＣ−ＣＥコマンドのうちの少なくとも１つを含む第１のキャリアを介して、前記第２のセルにおいて前記ビーム障害回復要求ＢＦＲＱを前記端末機器から受信することを含む、ことを特徴とする請求項９に記載のビーム障害回復要求の伝送方法。
【請求項１４】
第１のネットワーク機器によりサービスが提供される第１のセルにビーム障害イベントが発生したことを決定するための決定モジュールと、
前記第１のセルにビーム障害イベントが発生したことを指示するためのビーム障害回復要求ＢＦＲＱを第２のネットワーク機器に、前記第２のネットワーク機器によりサービスが提供される第２のセルにおいて送信するための送信モジュールとを含み、
そのうち、前記第２のセルと前記第１のセルとは異なる、ことを特徴とする端末機器。
【請求項１５】
第２のネットワーク機器であるネットワーク機器であって、
前記第２のネットワーク機器によりサービスが提供される第２のセルにおいて、第１のネットワーク機器によりサービスが提供される第１のセルにビーム障害イベントが発生したことを指示するためのビーム障害回復要求ＢＦＲＱを端末機器から受信するための受信モジュールを含み、
そのうち、前記第２のセルと前記第１のセルとは異なる、ことを特徴とするネットワーク機器。
【国際調査報告】
2022501944.tif 000010
2022501944.tif 000011
2022501944.tif 000012
2022501944.tif 000013
2022501944.tif 000014
2022501944.tif 000015